(57)【特許請求の範囲】
【請求項１】
画像表示部に設けられた複数の表示領域それぞれに、複数種類の選択画像のうちのいずれかが表示されるとともに、遊技者に選択画像の選択操作が促される選択演出が実行され、当該選択演出の実行中に演出操作部の操作によって前記いずれかの選択画像が選択されると、当該選択された選択画像に対応する演出が実行される遊技機であって、
前記選択画像が選択された回数である選択回数を、前記複数種類の選択画像ごとに、かつ、予め設定された集計期間ごとに集計する選択回数集計手段と、
１の集計期間における全選択画像の選択回数、もしくは、１の集計期間における予め設定された選択画像の選択回数を合算した１集計期間当たりの合算選択回数が有効回数以上である場合に、当該集計期間を有効集計期間とし、当該複数の有効集計期間における選択画像ごとの選択回数の合計数に基づいて、各選択画像の表示位置を前記複数の表示領域の中からそれぞれ排他的に決定する表示位置決定手段と、
前記表示位置決定手段によって決定された表示位置に各選択画像を表示させる画像表示手段と、を備えたことを特徴とする遊技機。
【請求項２】
予め設定された特定条件の成立可否を判定し、当該特定条件が成立している場合に、前記選択画像とは別に設けられた特定画像を選択して表示すると決定する特定画像表示決定手段をさらに備え、
前記選択回数集計手段は、
前記特定画像が選択された場合に、当該特定画像が選択された選択回数を、前記選択画像が選択された場合と等しく前記集計期間ごとに集計し、
前記表示位置決定手段は、
前記特定画像表示決定手段によって特定画像を表示する決定がなされた場合に、前記複数の有効集計期間における選択画像および特定画像ごとの選択回数の合計数に基づいて、当該各選択画像および特定画像の表示位置を決定することを特徴とする請求項１記載の遊技機。
【請求項３】
前記複数の表示領域には特別表示領域が設けられ、
前記表示位置決定手段は、
前記特定画像表示決定手段によって特定画像を表示する決定がなされた場合には、前記特別表示領域を含む全ての表示領域を対象として前記特定画像および複数の前記選択画像の表示位置を決定し、
前記特定画像表示決定手段によって特定画像を表示する決定がなされなかった場合には、前記特別表示領域を除く表示領域を対象として複数の前記選択画像の表示位置を決定することを特徴とする請求項２記載の遊技機。
【発明の詳細な説明】
【技術分野】
【０００１】
本発明は、画像表示部に複数種類の選択画像が選択可能に表示されるとともに、遊技者の操作によって選択された選択画像に対応する演出が実行される遊技機に関する。
【背景技術】
【０００２】
従来、始動口に遊技球が入球すると大当たりの抽選が行われ、この大当たりの抽選により大当たりに当選すると、多量の賞球を獲得可能な特別遊技が実行可能となる遊技機が知られている。こうした遊技機においては、遊技の進行中に、液晶表示部等の画像表示部にさまざまな画像が表示され、演出効果ならびに遊技の興趣向上が図られている。
【０００３】
そして、近年では、例えば特許文献１に示されるように、画像表示部に複数のキャラクタを選択可能に表示するとともに、遊技者がいずれかのキャラクタを選択すると、当該選択されたキャラクタに対応する演出が実行される遊技機が広く知られている。このように、キャラクタや演出の内容を選択可能とすることで、遊技者の好みに合わせた演出が実行されることとなり、より一層の演出効果の向上を図ることができる。
【先行技術文献】
【特許文献】
【０００４】
【特許文献１】特開２００９−２２６１６６号公報
【発明の概要】
【発明が解決しようとする課題】
【０００５】
上記の遊技機によれば、遊技時間が短い等の理由により、キャラクタ等の選択回数（機会）が少ない遊技者にとっては、これらキャラクタ等を選択すること自体が興趣を向上させる要因となり得る。しかしながら、遊技時間が長時間に及ぶ等、何度もキャラクタ等を選択している遊技者にとっては、こうした選択操作自体が面倒に感じられてしまい、キャラクタ等を選択する権利が放棄され、演出効果が低下してしまうという実態がある。
【０００６】
そこで、本発明は、遊技者の遊技時間等に拘わらず、遊技者の操作によって選択された選択画像に対応する演出が実行される選択演出の演出効果を向上することができる遊技機の提供を目的とする。
【課題を解決するための手段】
【０００７】
上記課題を解決するために、本発明の遊技機は、画像表示部に設けられた複数の表示領域それぞれに、複数種類の選択画像のうちのいずれかが表示されるとともに、遊技者に選択画像の選択操作が促される選択演出が実行され、当該選択演出の実行中に演出操作部の操作によって前記いずれかの選択画像が選択されると、当該選択された選択画像に対応する演出が実行される遊技機であって、前記選択画像が選択された回数である選択回数を、前記複数種類の選択画像ごとに、かつ、予め設定された集計期間ごとに集計する選択回数集計手段と、１の集計期間における全選択画像の選択回数、もしくは、１の集計期間における予め設定された選択画像の選択回数を合算した１集計期間当たりの合算選択回数が有効回数以上である場合に、当該集計期間を有効集計期間とし、当該複数の有効集計期間における選択画像ごとの選択回数の合計数に基づいて、各選択画像の表示位置を前記複数の表示領域の中からそれぞれ排他的に決定する表示位置決定手段と、前記表示位置決定手段によって決定された表示位置に各選択画像を表示させる画像表示手段と、を備えたことを特徴とする。
【０００８】
また、予め設定された特定条件の成立可否を判定し、当該特定条件が成立している場合に、前記選択画像とは別に設けられた特定画像を選択して表示すると決定する特定画像表示決定手段をさらに備え、前記選択回数集計手段は、前記特定画像が選択された場合に、当該特定画像が選択された選択回数を、前記選択画像が選択された場合と等しく前記集計期間ごとに集計し、前記表示位置決定手段は、前記特定画像表示決定手段によって特定画像を表示する決定がなされた場合に、前記複数の有効集計期間における選択画像および特定画像ごとの選択回数の合計数に基づいて、当該各選択画像および特定画像の表示位置を決定するとよい。
【０００９】
また、前記複数の表示領域には特別表示領域が設けられ、前記表示位置決定手段は、前記特定画像表示決定手段によって特定画像を表示する決定がなされた場合には、前記特別表示領域を含む全ての表示領域を対象として前記特定画像および複数の前記選択画像の表示位置を決定し、前記特定画像表示決定手段によって特定画像を表示する決定がなされなかった場合には、前記特別表示領域を除く表示領域を対象として複数の前記選択画像の表示位置を決定するとよい。
【図面の簡単な説明】
【００１０】
【図１】扉が開放された状態を示す遊技機の斜視図である。
【図２】遊技機の正面図である。
【図３】遊技機のブロック図である。
【図４】大当たり決定乱数判定テーブルを説明する図である。
【図５】当たり図柄決定乱数判定テーブルを説明する図である。
【図６】リーチグループ決定乱数判定テーブルを説明する図である。
【図７】ハズレ時リーチモードＡ決定乱数判定テーブルを説明する図である。
【図８】大当たり時リーチモードＡ決定乱数判定テーブルを説明する図である。
【図９】リーチモードＢ決定乱数判定テーブルを説明する図である。
【図１０】変動パターン抽選テーブルを説明する図である。
【図１１】変動時間決定テーブルを説明する図である。
【図１２】変動モードコマンドおよび変動パターンコマンドを説明する図である。
【図１３】特別電動役物作動テーブルを説明する図である。
【図１４】遊技状態設定テーブルを説明する図である。
【図１５】当たり決定乱数判定テーブルを説明する図である。
【図１６】（ａ）は普通図柄変動パターン決定テーブルを説明する図であり、（ｂ）は第２始動口開放制御テーブルを説明する図である。
【図１７】主制御基板におけるメイン処理を示す図である。
【図１８】主制御基板におけるタイマ割込処理を示す図である。
【図１９】主制御基板における入力制御処理を示す図である。
【図２０】主制御基板における第１始動口検出スイッチ入力処理を示す図である。
【図２１】主制御基板における事前判定処理を示す図である。
【図２２】主制御基板における第２始動口検出スイッチ入力処理を示す図である。
【図２３】主制御基板におけるゲート検出スイッチ入力処理を示す図である。
【図２４】主制御基板における特図特電処理を示す図である。
【図２５】主制御基板における特別図柄変動開始処理を示す図である。
【図２６】主制御基板における変動演出パターン決定処理を示す図である。
【図２７】主制御基板における特別図柄変動停止処理を説明する図である。
【図２８】主制御基板における停止後処理を示す図である。
【図２９】主制御基板における特別電動役物制御処理を示す図である。
【図３０】主制御基板における特別遊技終了処理を示す図である。
【図３１】主制御基板における普図普電処理を示す図である。
【図３２】主制御基板における普通図柄変動開始処理を示す図である。
【図３３】主制御基板における普通図柄変動停止処理を示す図である。
【図３４】主制御基板における普通図柄停止後処理を示す図である。
【図３５】主制御基板における普通電動役物制御処理を示す図である。
【図３６】特別遊技中に実行される選択演出の一例を説明する図である。
【図３７】第６キャラクタ表示決定テーブルを説明する図である。
【図３８】選択回数記憶部を説明する図である。
【図３９】副制御基板におけるメイン処理を示す図である。
【図４０】選択回数記憶部更新処理を説明する図である。
【図４１】副制御基板におけるタイマ割込処理を示す図である。
【図４２】副制御基板における事前判定コマンド受信処理を示す図である。
【図４３】副制御基板における図柄決定コマンド受信処理を示す図である。
【図４４】副制御基板における大当たり当選時遊技状態コマンド受信処理を示す図である。
【図４５】副制御基板におけるエンディングコマンド受信処理を示す図である。
【図４６】副制御基板におけるキャラクタ表示位置決定処理を示す図である。
【図４７】副制御基板における演出操作装置制御処理を示す図である。
【発明を実施するための形態】
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
本発明の実施形態の理解を容易にするため、まず、遊技機の機械的構成および電気的構成を簡単に説明し、その後、各基板における具体的な処理を説明する。
【００１３】
図１は、本実施形態の遊技機１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠４と、この中枠４と同様に、ヒンジ機構によって外枠２に開閉自在に取り付けられた前枠６と、を備えている。
【００１４】
中枠４は、外枠２と同様に、略矩形状に組まれた四辺によって囲繞空間が形成されており、この囲繞空間に遊技盤８が保持されている。また、前枠６には、ガラス製または樹脂製の透過板１０が保持されている。そして、これら中枠４および前枠６を外枠２に対して閉じると、遊技盤８と透過板１０とが所定の間隔を維持して略平行に対面するとともに、遊技機１の正面側から、透過板１０を介して遊技盤８が視認可能となる。
【００１５】
図２は、遊技機１の正面図である。この図に示すように、前枠６の下部には、遊技機１の正面側に突出する操作ハンドル１２が設けられている。この操作ハンドル１２は、遊技者が回転操作可能に設けられており、遊技者が操作ハンドル１２を回転させて発射操作を行うと、当該操作ハンドル１２の回転角度に応じた強度で、不図示の発射機構によって遊技球が発射される。このようにして発射された遊技球は、遊技盤８に設けられたレール１４ａ、１４ｂ間を上昇して遊技領域１６に導かれることとなる。
【００１６】
遊技領域１６は、遊技盤８と透過板１０との間隔に形成される空間であって、遊技球が流下または転動可能な領域である。遊技盤８には、多数の釘や風車が設けられており、遊技領域１６に導かれた遊技球が釘や風車に衝突して、不規則な方向に流下、転動するようにしている。
【００１７】
遊技領域１６は、発射機構の発射強度に応じて遊技球の進入度合いを互いに異にする第１遊技領域１６ａおよび第２遊技領域１６ｂを備えている。第１遊技領域１６ａは、遊技機１に正対した遊技者から見て遊技領域１６の左側に位置し、第２遊技領域１６ｂは、遊技機１に正対した遊技者から見て遊技領域１６の右側に位置している。レール１４ａ、１４ｂが遊技領域１６の左側にあることから、発射機構によって所定の強度未満の発射強度で発射された遊技球は第１遊技領域１６ａに進入し、所定の強度以上の発射強度で発射された遊技球は第２遊技領域１６ｂに進入することとなる。
【００１８】
また、遊技領域１６には、遊技球が入球可能な一般入賞口１８、第１始動口２０（第１始動領域）、第２始動口２２（第２始動領域）が設けられており、これら一般入賞口１８、第１始動口２０、第２始動口２２に遊技球が入球すると、それぞれ所定の賞球が遊技者に払い出される。
【００１９】
なお、詳しくは後述するが、第１始動口２０または第２始動口２２に遊技球が入球すると、予め設けられた複数の特別図柄の中からいずれか１の特別図柄を決定するための抽選が行われる。各特別図柄には、遊技者にとって有利な特別遊技の実行可否や、以後の遊技状態をどのような遊技状態にするかといった種々の遊技利益（状態）が対応付けられている。したがって、遊技者は、第１始動口２０または第２始動口２２に遊技球が入球すると、所定の賞球を獲得するのと同時に、種々の遊技利益を受ける権利獲得の機会を獲得することとなる。
【００２０】
また、第２始動口２２には、可動片２２ｂが開閉可能に設けられており、この可動片２２ｂの状態に応じて、第２始動口２２への遊技球の進入容易性が変化するようになっている。具体的には、第２始動口２２が閉状態にあるときには、第２始動口２２への遊技球の進入が不可能もしくは困難となっている。これに対して、遊技領域１６に設けられたゲート２４を遊技球が通過すると、後述する普通図柄の抽選が行われ、この抽選によって当たりに当選すると、可動片２２ｂが所定時間、開状態に制御される。このように、可動片２２ｂが開状態になると、当該可動片２２ｂが遊技球を第２始動口２２に導く受け皿として機能し、第２始動口２２への遊技球の入球が容易となる。
【００２１】
さらに、第１始動口２０および第２始動口２２よりも下方にはアタッカー装置２６が設けられている。このアタッカー装置２６は、遊技球が入球可能な大入賞口２８と、この大入賞口２８を開閉する開閉扉２８ｂと、を備えており、通常、開閉扉２８ｂが大入賞口２８を閉扉して、大入賞口２８への遊技球の入球が不可能となっている。これに対して、前述の特別遊技が実行されると、開閉扉２８ｂが開扉して、大入賞口２８への遊技球の入球が可能となる。そして、大入賞口２８に遊技球が入球すると、所定の賞球が遊技者に払い出される。
【００２２】
なお、遊技領域１６の最下部には、一般入賞口１８、第１始動口２０、第２始動口２２、大入賞口２８のいずれにも入球しなかった遊技球を、遊技領域１６から遊技盤８の背面側に排出する排出口３０が設けられている。
【００２３】
ここで、第１始動口２０は、遊技領域１６の下方寄りであって幅方向の中央に位置しており、第１遊技領域１６ａを流下する遊技球のみが入球可能であって、第２遊技領域１６ｂを流下する遊技球は入球不可能となっている。一方で、第２始動口２２は、第２遊技領域１６ｂに位置しており、第２遊技領域１６ｂを流下する遊技球のみが入球可能であって、第１遊技領域１６ａを流下する遊技球は入球不可能となっている。
【００２４】
ただし、第１始動口２０には、第２遊技領域１６ｂを流下する遊技球が入球してもよく、また、第２始動口２２には、第１遊技領域１６ａを流下する遊技球が入球してもよい。したがって、第１始動口２０や第２始動口２２の配置は一例にすぎず、具体的な盤面構成は特に限定されるものではない。
【００２５】
そして、遊技盤８には、遊技の進行中等に演出を行う演出装置として、液晶表示装置からなる演出表示装置５０と、可動装置からなる演出役物装置５２とが設けられている。演出表示装置５０は、画像を表示する演出表示部５０ａ（画像表示部）を備えており、この演出表示部５０ａを、遊技盤８の略中央部分において、遊技機１の正面側から視認可能に配置している。この演出表示部５０ａには、図示のように演出図柄４０ａ、４０ｂ、４０ｃが変動表示され、これら各演出図柄４０ａ、４０ｂ、４０ｃの停止表示態様によって大当たりの抽選結果が遊技者に報知されることとなる。
【００２６】
また、演出表示部５０ａよりも前面には、演出役物装置５２が設けられている。この演出役物装置５２は、通常、遊技盤８の背面側に退避しているが、上記の演出図柄４０ａ、４０ｂ、４０ｃの変動表示中などに、演出表示部５０ａの前面まで可動して、遊技者に大当たりの期待感を付与するものである。
【００２７】
また、遊技盤８には、点灯態様や発光色をさまざまに制御して演出を行うためのランプからなる演出照明装置５４が設けられている。さらに、遊技機１の幅方向略中央位置であって、かつ、透過板１０よりも下方位置には、遊技者の押下操作および回転操作を受け付ける演出操作装置５６が設けられている。そして、前枠６の上部位置や外枠２の最下部位置には、遊技機１の正面側に向けられたスピーカからなる音声出力装置５８が設けられている。
【００２８】
なお、図中符号７０は、遊技機１から払い出される賞球や、遊技球貸出装置から貸し出される遊技球が導かれる上皿であり、この上皿７０が遊技球で一杯になると、遊技球は下皿７２に導かれることとなる。また、この下皿７２の底面には、当該下皿７２から遊技球を排出するための球抜き孔（不図示）が形成されている。この球抜き孔は、通常、開閉板（不図示）によって閉じられているが、球抜きつまみ７２ａを図中左右方向にスライドさせることにより、当該球抜きつまみ７２ａと一体となって開閉板がスライドし、球抜き孔から下皿７２の下方に遊技球を排出することが可能となっている。
【００２９】
また、遊技盤８には、遊技領域１６の外方であって、かつ、遊技者が視認可能な位置に、第１特別図柄表示器８０、第２特別図柄表示器８２、第１特別図柄保留表示器８４、第２特別図柄保留表示器８６、普通図柄表示器８８、普通図柄保留表示器９０が設けられている。これら各表示器８０〜９０は、遊技に係る種々の状況を表示するための装置であるが、その詳細については後述する。
【００３０】
（制御手段の内部構成）
図３は、遊技の進行を制御する制御手段の内部構成を示すブロック図である。
【００３１】
主制御基板１００は遊技の基本動作を制御する。この主制御基板１００は、メインＣＰＵ１００ａ、メインＲＯＭ１００ｂ、メインＲＡＭ１００ｃを備えている。メインＣＰＵ１００ａは、各検出スイッチやタイマからの入力信号に基づいて、メインＲＯＭ１００ｂに格納されたプログラムを読み出して演算処理を行うとともに、各装置や表示器を直接制御したり、あるいは演算処理の結果に応じて他の基板にコマンドを送信したりする。メインＲＡＭ１００ｃは、メインＣＰＵ１００ａの演算処理時におけるデータのワークエリアとして機能する。
【００３２】
上記主制御基板１００には、一般入賞口１８に遊技球が入球したことを検出する一般入賞口検出スイッチ１８ａ、第１始動口２０に遊技球が入球したことを検出する第１始動口検出スイッチ２０ａ、第２始動口２２に遊技球が入球したことを検出する第２始動口検出スイッチ２２ａ、ゲート２４を遊技球が通過したことを検出するゲート検出スイッチ２４ａ、大入賞口２８に遊技球が入球したことを検出する大入賞口検出スイッチ２８ａが接続されており、これら各検出スイッチから主制御基板１００に検出信号が入力されるようになっている。
【００３３】
また、主制御基板１００には、第２始動口２２の可動片２２ｂを作動する始動口開閉ソレノイド２２ｃと、大入賞口２８を開閉する開閉扉２８ｂを作動する大入賞口開閉ソレノイド２８ｃと、が接続されており、主制御基板１００によって、第２始動口２２および大入賞口２８の開閉制御がなされるようになっている。
【００３４】
さらに、主制御基板１００には、第１特別図柄表示器８０、第２特別図柄表示器８２、第１特別図柄保留表示器８４、第２特別図柄保留表示器８６、普通図柄表示器８８、普通図柄保留表示器９０が接続されており、主制御基板１００によって、これら各表示器の表示制御がなされるようになっている。
【００３５】
また、本実施形態の遊技機１は、主に第１始動口２０または第２始動口２２への遊技球の入球によって開始される特別図柄遊技と、ゲート２４を遊技球が通過することによって開始される普通図柄遊技とに大別される。そして、主制御基板１００のメインＲＯＭ１００ｂには、特別図柄遊技および普通図柄遊技を進行するための種々のプログラムや、各種の遊技に必要なデータ、テーブルが記憶されている。
【００３６】
また、主制御基板１００には、払出制御基板１２０および副制御基板２００が接続されている。
【００３７】
払出制御基板１２０は、遊技球を発射させるための制御、および、賞球を払い出すための制御を行う。この払出制御基板１２０も、ＣＰＵ、ＲＯＭ、ＲＡＭを備えており、主制御基板１００に対して双方向に通信可能に接続されている。この払出制御基板１２０には遊技情報出力端子板１１０が接続されており、主制御基板１００から出力される遊技進行上の種々の情報が、払出制御基板１２０および遊技情報出力端子板１１０を介して、遊技店のホールコンピュータ等に出力されることとなる。
【００３８】
また、払出制御基板１２０には、貯留部に貯留された遊技球を賞球として遊技者に払い出すための払出モータ１２１が接続されている。払出制御基板１２０は、主制御基板１００から送信された払出個数指定コマンドに基づいて払出モータ１２１を制御して所定の賞球を遊技者に払い出すように制御する。このとき、払い出された遊技球数が払出球計数スイッチ１２２によって検出され、払い出すべき賞球が遊技者に払い出されたかが把握されるようになっている。
【００３９】
また、払出制御基板１２０には、下皿７２の満タン状態を検出する皿満タン検出スイッチ１２３が接続されている。この皿満タン検出スイッチ１２３は、賞球として払い出される遊技球を下皿７２に導く通路に設けられており、当該通路を遊技球が通過するたびに、遊技球検出信号が払出制御基板１２０に入力されるようになっている。
【００４０】
そして、下皿７２に所定量以上の遊技球が貯留されて満タン状態になると、下皿７２に向かう通路内に遊技球が滞留し、皿満タン検出スイッチ１２３から払出制御基板１２０に向けて、遊技球検出信号が連続的に入力される。払出制御基板１２０は、遊技球検出信号が所定時間連続して入力された場合に、下皿７２が満タン状態であると判断し、皿満タンコマンドを主制御基板１００に送信する。一方、皿満タンコマンドを送信した後、遊技球検出信号の連続入力が途絶えた場合には、満タン状態が解除されたと判断し、皿満タン解除コマンドを主制御基板１００に送信する。
【００４１】
また、払出制御基板１２０には、発射制御基板１３０が双方向に通信可能に接続されている。この発射制御基板１３０は、払出制御基板１２０から発射制御データを受信すると発射の許可を行う。この発射制御基板１３０には、操作ハンドル１２に設けられ、当該操作ハンドル１２に遊技者が触れたことを検出するタッチセンサ１２ａと、操作ハンドル１２の操作角度を検出する操作ボリューム１２ｂと、が接続されている。そして、タッチセンサ１２ａおよび操作ボリューム１２ｂから信号が入力されると、発射制御基板１３０において、遊技球発射装置に設けられた発射用ソレノイド１３１を通電して遊技球を発射させる制御がなされる。
【００４２】
副制御基板２００は、主に遊技中や待機中等の各演出を制御する。この副制御基板２００は、サブＣＰＵ２００ａ、サブＲＯＭ２００ｂ、サブＲＡＭ２００ｃ、ＲＴＣ２００ｄを備えており、主制御基板１００に対して、当該主制御基板１００から副制御基板２００への一方向に通信可能に接続されている。サブＣＰＵ２００ａは、主制御基板１００から送信されたコマンドやタイマからの入力信号等に基づいて、サブＲＯＭ２００ｂに格納されたプログラムを読み出して演算処理を行うとともに、演出を実行するためのコマンドを、画像制御基板２１０または電飾制御基板２２０に送信する。このとき、サブＲＡＭ２００ｃは、サブＣＰＵ２００ａの演算処理時におけるデータのワークエリアとして機能する。また、ＲＴＣ２００ｄは、所謂「Real Time Clock」と呼ばれるもので、電源の投入、非投入に拘わらず、現在の日時を計時するものである。
【００４３】
この副制御基板２００には、初期化スイッチ２０１が設けられており、初期化スイッチ２０１が操作されると、副制御基板２００に初期化信号が入力され、サブＲＡＭ２００ｃに記憶されているフラグ等の種々のデータが初期化されることとなる。
【００４４】
画像制御基板２１０は、上記演出表示部５０ａに画像を表示させる画像表示制御を行うものであり、ＣＰＵ、ＲＯＭ、ＲＡＭ、ＶＲＡＭを備えている。この画像制御基板２１０のＲＯＭには、演出表示部５０ａに表示される図柄や背景等の画像データが多数格納されており、副制御基板２００から送信されたコマンドに基づいて、ＣＰＵが、画像データをＲＯＭからＶＲＡＭに読み出して、演出表示部５０ａの画像表示を制御する。
【００４５】
電飾制御基板２２０は、副制御基板２００から送信されたコマンドに基づいて、音声出力装置５８から音声を出力させる音声出力制御を行う。また、電飾制御基板２２０は、副制御基板２００から送信されるコマンドに基づいて、演出役物装置５２を可動したり演出照明装置５４を点灯制御したりする。さらには、演出操作装置５６の押下操作および回転操作をそれぞれ識別可能に検出する演出操作装置検出スイッチ５６ａから操作検出信号が入力された際に、所定のコマンドを副制御基板２００に送信する。
【００４６】
なお、各基板には、不図示の電源基板が接続されている。この電源基板は、コンデンサからなるバックアップ電源を備えており、遊技機に供給する電源電圧を監視し、電源電圧が所定値以下となったときに、電断検知信号を主制御基板１００に出力する。
【００４７】
次に、本実施形態の遊技機１における遊技について、メインＲＯＭ１００ｂに記憶されている各種テーブルを参照しながら説明する。
【００４８】
前述したように、本実施形態の遊技機１は、特別図柄遊技と普通図柄遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態と、が組み合わされたいずれかの遊技状態にて遊技が進行する。
【００４９】
各遊技状態の詳細については後述するが、低確率遊技状態というのは、大入賞口２８が開放される特別遊技を実行する権利獲得の確率が低く（本実施形態では約１／３９２．４）設定された遊技状態であり、高確率遊技状態というのは、特別遊技を実行する権利獲得の確率が高く（本実施形態では約１／３９．２４）設定された遊技状態である。
【００５０】
また、非時短遊技状態というのは、可動片２２ｂが開状態になりにくく、第２始動口２２に遊技球が入球しにくい遊技状態であり、時短遊技状態というのは、非時短遊技状態よりも可動片２２ｂが開状態になりやすく、第２始動口２２に遊技球が入球しやすい遊技状態である。
【００５１】
遊技者が操作ハンドル１２を操作して遊技領域１６に遊技球を発射させるとともに、遊技領域１６を流下する遊技球が第１始動口２０または第２始動口２２に入球すると、遊技者に遊技利益を付与するか否かの抽選（以下、「大当たりの抽選」という）が行われる。この大当たりの抽選において、大当たりに当選すると、大入賞口２８が開放されるとともに当該大入賞口２８への遊技球の入球が可能となる特別遊技が実行され、また、当該特別遊技の終了後の遊技状態が、上記のいずれかの遊技状態に設定される。以下では、大当たりの抽選方法について説明する。
【００５２】
なお、詳しくは後述するが、第１始動口２０または第２始動口２２に遊技球が入球すると、大当たりの抽選に係る種々の乱数値（大当たり決定乱数、当たり図柄乱数、リーチグループ決定乱数、リーチモードＡ決定乱数、リーチモードＢ決定乱数、変動パターン乱数）が取得されるとともに、これら各乱数値がメインＲＡＭ１００ｃの保留記憶領域に記憶される。以下では、第１始動口２０に遊技球が入球して保留記憶領域に記憶された種々の乱数を総称して特１保留とよび、第２始動口２２に遊技球が入球して保留記憶領域に記憶された種々の乱数を総称して特２保留とよぶ。
【００５３】
この保留記憶領域は、８つの記憶部（第１〜第８記憶部）を有している。そして、第１始動口２０に遊技球が入球すると、特１保留を保留記憶領域の第１記憶部から順に記憶し、第２始動口２２に遊技球が入球すると、特２保留を保留記憶領域の第１記憶部から順に記憶する。例えば、第１始動口２０に遊技球が入球したとき、保留記憶領域の第１〜第８記憶部のいずれにも保留が記憶されていない場合には、第１記憶部に特１保留を記憶する。また、例えば、第１記憶部〜第３記憶部に特１保留または特２保留が記憶されている状態で、第１始動口２０に遊技球が入球した場合には、特１保留を第４記憶部に記憶する。なお、第２始動口２２に遊技球が入球した場合にも、上記と同様に、第１記憶部〜第８記憶部の中で、特１保留および特２保留が記憶されていない、最も番号（序数）の小さい記憶部に特２保留が記憶される。
【００５４】
ただし、保留記憶領域に記憶可能な特１保留数（Ｘ１）および特２保留数（Ｘ２）は、それぞれ４つに設定されている。したがって、例えば、第１始動口２０に遊技球が入球したときに、保留記憶領域に既に４つの特１保留が記憶されている場合には、当該第１始動口２０への遊技球の入球によって新たに特１保留が記憶されることはない。同様に、第２始動口２２に遊技球が入球したときに、保留記憶領域に既に４つの特２保留が記憶されている場合には、当該第２始動口２２への遊技球の入球によって新たに特２保留が記憶されることはない。
【００５５】
なお、特１保留および特２保留のいずれも保留記憶領域に記憶されていない状態で、かつ、特別図柄に係る変動処理が未実行の状態において遊技球が第１始動口２０または第２始動口２２に入球した場合、当該保留記憶領域に記憶される新たな特１保留または特２保留における各乱数（乱数情報）は、直ちに特別図柄変動制御に係る所定の処理領域に記憶移行させて当該記憶部のクリアをするシフト処理が行われる。
【００５６】
また、後述する特別図柄変動停止処理が終了した際（次の特別図柄変動の開始可能状態）に、保留記憶領域に特１保留または特２保留が記憶され待機処理をさせていた場合には、第１記憶部の（時系列で一番古い）特１保留または特２保留における各乱数を、特別図柄変動制御に係る所定の処理領域に記憶移行させて当該記憶部のクリア（待機処理の解除）をするシフト処理が行われる。なお、特別遊技に係る制御処理（所謂、大当たり遊技状態）が実行されている場合には、上記のシフト処理をしない待機処理を行うこととしている。
【００５７】
図４は、大当たり決定乱数判定テーブルを説明する図である。第１始動口２０または第２始動口２２に遊技球が入球すると、０〜６５５３５の範囲内から１つの大当たり決定乱数が取得される。そして、大当たりの抽選を開始するとき、すなわち、大当たりの判定を行うときの遊技状態に応じて大当たり決定乱数判定テーブルが選択され、当該選択された大当たり決定乱数判定テーブルと取得された大当たり決定乱数とによって大当たりの抽選が行われる。
【００５８】
低確率遊技状態において、特１保留および特２保留について大当たりの抽選を開始する場合には、図４（ａ）に示す大当たり決定乱数判定テーブル１が参照される。この大当たり決定乱数判定テーブル１によれば、大当たり決定乱数が１０００１〜１０１６７であった場合に大当たりと判定し、その他の大当たり決定乱数であった場合にはハズレと判定する。したがって、この場合の大当たり確率は１／３９２．４となる。
【００５９】
また、高確率遊技状態において、特１保留および特２保留について大当たりの抽選を開始する場合には、図４（ｂ）に示す大当たり決定乱数判定テーブル２が参照される。この大当たり決定乱数判定テーブル２によれば、大当たり決定乱数が１０００１〜１１６７０であった場合に大当たりと判定し、その他の大当たり決定乱数であった場合にはハズレと判定する。したがって、この場合の大当たり確率は１／３９．２４となる。このように、高確率遊技状態である場合には、低確率遊技状態である場合に比べて、大当たり確率が１０倍となる。
【００６０】
なお、図４からも明らかなように、本実施形態においては、取得した大当たり決定乱数が１０００１〜１０１６７である保留、すなわち、低確率遊技状態において大当たりに当選する保留は、必ず、高確率遊技状態においても大当たりに当選することとなる。
【００６１】
図５は、当たり図柄決定乱数判定テーブルを説明する図である。第１始動口２０または第２始動口２２に遊技球が入球すると、０〜９９の範囲内から１つの当たり図柄乱数が取得される。そして、上記の大当たりの抽選により「大当たり」の判定結果が導出された場合に、取得している当たり図柄乱数と当たり図柄決定乱数判定テーブルとによって、特別図柄の種別が決定される。このとき、特１保留によって「大当たり」に当選した場合には、図５（ａ）に示す当たり図柄決定乱数判定テーブル１が選択され、特２保留によって「大当たり」に当選した場合には、図５（ｂ）に示す当たり図柄決定乱数判定テーブル２が選択される。以下では、当たり図柄乱数によって決定される特別図柄、すなわち、大当たりの判定結果が得られた場合に決定される特別図柄を大当たり図柄とよび、ハズレの判定結果が得られた場合に決定される特別図柄をハズレ図柄とよぶ。
【００６２】
図５（ａ）に示す当たり図柄決定乱数判定テーブル１によれば、図示のとおり、０〜９９の各当たり図柄乱数に特別図柄Ａ、Ｂ、Ｃの３種類の特別図柄が対応付けられており、当たり図柄乱数が０〜３９であれば特別図柄Ａが決定され、当たり図柄乱数が４０〜７９であれば特別図柄Ｂが決定され、当たり図柄乱数が８０〜９９であれば特別図柄Ｃが決定される。
【００６３】
また、図５（ｂ）に示す当たり図柄決定乱数判定テーブル２によれば、図示のとおり、０〜９９の各当たり図柄乱数に特別図柄Ａ、Ｂ、Ｃの３種類の特別図柄が対応付けられており、当たり図柄乱数が０〜３９であれば特別図柄Ａが決定され、当たり図柄乱数が４０〜７９であれば特別図柄Ｂが決定され、当たり図柄乱数が８０〜９９であれば特別図柄Ｃが決定される。なお、ここでは、当たり図柄決定乱数判定テーブル１、２において、各特別図柄が決定される比率を同一としたが、両当たり図柄決定乱数判定テーブル１、２において、異なる特別図柄が決定されたり、あるいは、同一の特別図柄であっても、そのそれぞれが決定される比率を異にしたりしてもよい。
【００６４】
また、大当たりの抽選結果が「ハズレ」であった場合に、当該抽選結果が特１保留によって導出されたときは、抽選を行うことなくハズレ図柄として特別図柄Ｘが決定され、当該抽選結果が特２保留によって導出されたときは、抽選を行うことなくハズレ図柄として特別図柄Ｙが決定される。つまり、当たり図柄決定乱数判定テーブルは、大当たりの抽選結果が「大当たり」であった場合にのみ参照され、大当たりの抽選結果が「ハズレ」であった場合に参照されることはない。
【００６５】
図６は、リーチグループ決定乱数判定テーブルを説明する図である。このリーチグループ決定乱数判定テーブルは、遊技状態ごとに設けられており、本実施形態では、非時短遊技状態用のテーブルと、時短遊技状態用のテーブルとが設けられている。第１始動口２０または第２始動口２２に遊技球が入球すると、０〜１０００６の範囲内から１つのリーチグループ決定乱数が取得される。上記のように、大当たりの抽選結果が導出されると、当該大当たりの抽選結果を報知する変動演出パターンを決定する処理が行われる。本実施形態では、大当たりの抽選結果が「ハズレ」であった場合に、変動演出パターンを決定するにあたって、まず、リーチグループ決定乱数とリーチグループ決定乱数判定テーブルとによってグループ種別が決定される。
【００６６】
そして、非時短遊技状態に設定されているときに特１保留に基づいて大当たりの抽選結果が導出されるとともに、大当たりの抽選を行うときの特１保留数が０または１個であった場合には、図６（ａ）に示すリーチグループ決定乱数判定テーブル１が選択される。このリーチグループ決定乱数判定テーブル１によれば、リーチグループ決定乱数が０〜３９９９であれば「グループ１」が決定され、リーチグループ決定乱数が４０００〜６９９９であれば「グループ２」が決定され、リーチグループ決定乱数が７０００〜８９９９であれば「グループ３」が決定され、リーチグループ決定乱数が９０００〜９７９９であれば「グループ４」が決定され、リーチグループ決定乱数が９８００〜１０００６であれば「グループ５」が決定される。
【００６７】
また、非時短遊技状態に設定されているときに特１保留に基づいて大当たりの抽選結果が導出されるとともに、大当たりの抽選を行うときの特１保留数が２または３個であった場合には、図６（ｂ）に示すリーチグループ決定乱数判定テーブル２が選択される。また、非時短遊技状態に設定されているときに特２保留に基づいて大当たりの抽選結果が導出された場合には、保留数とは無関係に図６（ｃ）に示すリーチグループ決定乱数判定テーブル３が選択されることとなる。これらリーチグループ決定乱数判定テーブル１〜３によれば、リーチグループ決定乱数に応じて、図示のとおりにグループ種別が決定されることとなる。
【００６８】
なお、大当たりの抽選結果が「大当たり」であった場合には、変動演出パターンを決定するにあたってグループ種別を決定することはない。つまり、リーチグループ決定乱数判定テーブルは、大当たりの抽選結果が「ハズレ」であった場合にのみ参照され、大当たりの抽選結果が「大当たり」であった場合に参照されることはない。したがって、リーチグループ決定乱数は、第１始動口２０や第２始動口２２に遊技球が入球したときに、「大当たり」、「ハズレ」とは無関係に取得されるものの、大当たりの抽選結果が「大当たり」であった場合には、当該リーチグループ決定乱数は何らの抽選にも用いられることなく破棄されることとなる。
【００６９】
図７は、ハズレ時リーチモードＡ決定乱数判定テーブルを説明する図である。このハズレ時リーチモードＡ決定乱数判定テーブルは、上記のようにして決定されたグループ種別ごとに複数設けられている。ここでは、グループ１が決定されたときに選択されるハズレ時リーチモードＡ決定乱数判定テーブル１を図７（ａ）に示し、グループ２が決定されたときに選択されるハズレ時リーチモードＡ決定乱数判定テーブル２を図７（ｂ）に示し、グループ５が決定されたときに選択されるハズレ時リーチモードＡ決定乱数判定テーブル５を図７（ｃ）に示す。
【００７０】
第１始動口２０または第２始動口２２に遊技球が入球すると、０〜２５０の範囲内から１つのリーチモードＡ決定乱数が取得される。そして、上記のグループ種別の抽選によりグループ種別が決定された場合には、当該決定されたグループ種別に対応するハズレ時リーチモードＡ決定乱数判定テーブルが選択され、選択されたハズレ時リーチモードＡ決定乱数判定テーブルとリーチモードＡ決定乱数とに基づいて、変動モードＡ番号が決定される。
【００７１】
図７（ａ）に示すハズレ時リーチモードＡ決定乱数判定テーブル１によれば、リーチモードＡ決定乱数が０〜２５０の全てにおいて、変動モードＡ番号として「００Ｈ」が決定される。また、図７（ｂ）に示すハズレ時リーチモードＡ決定乱数判定テーブル２によれば、リーチモードＡ決定乱数が０〜７９のとき、変動モードＡ番号として「００Ｈ」が決定され、リーチモードＡ決定乱数が８０〜１６９のとき、変動モードＡ番号として「０１Ｈ」が決定され、リーチモードＡ決定乱数が１７０〜２５０のとき、変動モードＡ番号として「０２Ｈ」が決定される。また、図７（ｃ）に示すハズレ時リーチモードＡ決定乱数判定テーブル５によれば、リーチモードＡ決定乱数が０〜１３０のとき、変動モードＡ番号として「０５Ｈ」が決定され、リーチモードＡ決定乱数が１３１〜１９９のとき、変動モードＡ番号として「０６Ｈ」が決定され、リーチモードＡ決定乱数が２００〜２５０のとき、変動モードＡ番号として「０７Ｈ」が決定される。
【００７２】
そして、各ハズレ時リーチモードＡ決定乱数判定テーブルにおいては、リーチモードＡ決定乱数に、変動モードＡ番号とともに、後述するリーチモードＢ決定乱数判定テーブルおよび変動パターン抽選テーブルが対応付けられている。例えば、ハズレ時リーチモードＡ決定乱数判定テーブル１によれば、変動モードＡ番号が「００Ｈ」と決定されるのと同時に、リーチモードＢ決定乱数判定テーブルとして「テーブル１」が決定され、変動パターン抽選テーブルとして「テーブルＡ」が決定される。このように、本実施形態では、変動モードＡ番号が決定されると、同時に、リーチモードＢ決定乱数判定テーブルおよび変動パターン抽選テーブルが決定されることとなる。
【００７３】
図８は、大当たり時リーチモードＡ決定乱数判定テーブルを説明する図である。この大当たり時リーチモードＡ決定乱数判定テーブルは、大当たり当選時に決定される大当たり図柄の種別に応じて複数設けられている。ここでは、特別図柄Ａが決定されたときに選択される大当たり時リーチモードＡ決定乱数判定テーブル１を図８（ａ）に示し、特別図柄Ｂが決定されたときに選択される大当たり時リーチモードＡ決定乱数判定テーブル２を図８（ｂ）に示している。この大当たり時リーチモードＡ決定乱数判定テーブルにおいても、上記のハズレ時リーチモードＡ決定乱数判定テーブルと同様に、リーチモードＡ決定乱数に対して、変動モードＡ番号、リーチモードＢ決定乱数判定テーブル、変動パターン抽選テーブルが対応付けられており、変動モードＡ番号が決定されると、同時に、リーチモードＢ決定乱数判定テーブルおよび変動パターン抽選テーブルが決定されることとなる。
【００７４】
以上のように、大当たりの抽選結果が「ハズレ」であった場合には、まず、図６に示すリーチグループ決定乱数判定テーブルとリーチグループ決定乱数とによってグループ種別が決定される。そして、決定されたグループ種別に応じ、図７に示すハズレ時リーチモードＡ決定乱数判定テーブルとリーチモードＡ決定乱数とによって、変動モードＡ番号、リーチモードＢ決定乱数判定テーブル、変動パターン抽選テーブルが決定される。一方、大当たりの抽選結果が「大当たり」であった場合には、決定された大当たり図柄（特別図柄の種別）に応じ、図８に示す大当たり時リーチモードＡ決定乱数判定テーブルとリーチモードＡ決定乱数とによって、変動モードＡ番号、リーチモードＢ決定乱数判定テーブル、変動パターン抽選テーブルが決定されることとなる。
【００７５】
図９は、リーチモードＢ決定乱数判定テーブルを説明する図である。ここでは、リーチモードＢ決定乱数判定テーブル１を図９（ａ）に示し、リーチモードＢ決定乱数判定テーブル２を図９（ｂ）に示し、リーチモードＢ決定乱数判定テーブル５を図９（ｃ）に示すが、リーチモードＢ決定乱数判定テーブルは、この他にも多数設けられている。
【００７６】
第１始動口２０または第２始動口２２に遊技球が入球すると、０〜１９８の範囲内から１つのリーチモードＢ決定乱数が取得される。そして、上記の変動モードＡ番号と同時に決定されたリーチモードＢ決定乱数判定テーブルと、取得したリーチモードＢ決定乱数とに基づいて変動モードＢ番号が決定される。例えば、図９（ａ）に示すリーチモードＢ決定乱数判定テーブル１によれば、リーチモードＢ決定乱数が０〜１９８の全てにおいて、変動モードＢ番号として「０Ｈ」が決定される。また、図９（ｂ）に示すリーチモードＢ決定乱数判定テーブル２によれば、リーチモードＢ決定乱数が０〜１０９のとき、変動モードＢ番号として「０Ｈ」が決定され、リーチモードＢ決定乱数が１１０〜１９８のとき、変動モードＢ番号として「１Ｈ」が決定される。また、図９（ｃ）に示すリーチモードＢ決定乱数判定テーブル５によれば、リーチモードＢ決定乱数が０〜４９のとき、変動モードＢ番号として「５Ｈ」が決定され、リーチモードＢ決定乱数が５０〜９９のとき、変動モードＢ番号として「６Ｈ」が決定され、リーチモードＢ決定乱数が１００〜１５９のとき、変動モードＢ番号として「７Ｈ」が決定され、リーチモードＢ決定乱数が１６０〜１９８のとき、変動モードＢ番号として「８Ｈ」が決定される。
【００７７】
図１０は、変動パターン抽選テーブルを説明する図である。ここでは、変動パターン抽選テーブルＡを図１０（ａ）に示し、変動パターン抽選テーブルＢを図１０（ｂ）に示し、変動パターン抽選テーブルＱを図１０（ｃ）に示すが、変動パターン抽選テーブルは、この他にも多数設けられている。
【００７８】
第１始動口２０または第２始動口２２に遊技球が入球すると、０〜２３８の範囲内から１つの変動パターン乱数が取得される。そして、上記の変動モードＡ番号と同時に決定された変動パターン抽選テーブルと、取得した変動パターン乱数とに基づいて変動パターン番号が決定される。例えば、図１０（ａ）に示す変動パターン抽選テーブルＡによれば、変動パターン乱数が０〜２３８の全てにおいて、変動パターン番号として「００Ｈ」が決定される。
【００７９】
また、図１０（ｂ）に示す変動パターン抽選テーブルＢによれば、変動パターン乱数が０〜２３８の全てにおいて、変動パターン番号として「０１Ｈ」が決定される。また、図１０（ｃ）に示す変動パターン抽選テーブルＱによれば、変動パターン乱数が０〜２４のとき、変動パターン番号として「３０Ｈ」が決定され、変動パターン乱数が２５〜４９のとき、変動パターン番号として「３１Ｈ」が決定され、変動パターン乱数が５０〜１３９のとき、変動パターン番号として「３２Ｈ」が決定され、変動パターン乱数が１４０〜１７９のとき、変動パターン番号として「３３Ｈ」が決定され、変動パターン乱数が１８０〜２１９のとき、変動パターン番号として「３４Ｈ」が決定され、変動パターン乱数が２２０〜２３８のとき、変動パターン番号として「３５Ｈ」が決定される。
【００８０】
このように、大当たりの抽選が行われると、大当たりの抽選結果に応じて、変動モードＡ番号、変動モードＢ番号、変動パターン番号が決定される。これら変動モードＡ番号、変動モードＢ番号、変動パターン番号は、変動演出パターンを構成するものであり、そのそれぞれに、変動演出の態様および時間が対応付けられている。
【００８１】
図１１は、変動時間決定テーブルを説明する図である。上記のように、変動モードＡ番号が決定されると、図１１（ａ）に示す変動時間１決定テーブルにしたがって変動時間１が決定される。この変動時間１決定テーブルによれば、変動モードＡ番号ごとに変動時間１が対応付けられており、決定された変動モードＡ番号に応じて、対応する変動時間１が決定される。
【００８２】
また、上記のように、変動パターン番号が決定されると、図１１（ｂ）に示す変動時間２決定テーブルにしたがって変動時間２が決定される。この変動時間２決定テーブルによれば、変動パターン番号ごとに変動時間２が対応付けられており、決定された変動パターンに応じて、対応する変動時間２が決定される。
【００８３】
さらに、上記のように、変動モードＢ番号が決定されると、図１１（ｃ）に示す変動時間３決定テーブルにしたがって変動時間３が決定される。この変動時間３決定テーブルによれば、変動モードＢ番号ごとに変動時間３が対応付けられており、決定された変動モードＢに応じて、対応する変動時間３が決定される。このようにして決定された変動時間１〜３の合計時間が、大当たりの抽選結果を報知する変動演出の時間、すなわち、変動時間となる。
【００８４】
図１２は、変動モードコマンドおよび変動パターンコマンドを説明する図である。上記のように、変動モードＡ番号、変動モードＢ番号、変動パターン番号が決定されると、それらに対応するコマンドが生成され、副制御基板２００に送信される。図１２（ａ）に示すように、変動モードコマンドは、先行コマンドと後続コマンドとからなり、先行コマンドは、ヘッダーとして機能する「ＡＨ」に、変動モードＢ番号が付加されて構成される。したがって、例えば、変動モードＢ番号として「２Ｈ」が決定された場合には、先行コマンドが「Ａ２Ｈ」となる。なお、本実施形態では、変動モードＢ番号として、「０Ｈ」〜「ＥＨ」の１５種類が設けられているが、ここで「ＦＨ」を除外しているのは、後述する変動パターンコマンドのヘッダー「ＡＦＨ」との識別性を確保するためである。
【００８５】
また、後続コマンドは、変動モードＡ番号のとおりに決定され、例えば、変動モードＡ番号として「００Ｈ」が決定された場合には、後続コマンドが「００Ｈ」となる。本実施形態では、後続コマンドとして「００Ｈ」〜「７ＦＨ」が設けられており、したがって、変動モードＡ番号を最大で１２８通り設けることが可能となっている。このように、本実施形態においては、変動モードＡ番号と変動モードＢ番号とによって、１つの変動モードコマンドが生成されることとなる。
【００８６】
一方、図１２（ｂ）に示すように、変動パターンコマンドも、先行コマンドと後続コマンドとからなり、ヘッダーとして機能する「ＡＦＨ」が先行コマンドとして生成される。また、後続コマンドは、変動パターン番号のとおりに決定され、例えば、変動パターン番号として「００Ｈ」が決定された場合には、後続コマンドが「００Ｈ」となる。本実施形態では、後続コマンドとして「００Ｈ」〜「７ＦＨ」が設けられており、したがって、本実施形態では、変動パターン番号を、最大で１２８通り設けることが可能となっている。
【００８７】
上記のように、本実施形態においては、変動演出パターンを決定するために、変動モードＡ番号、変動モードＢ番号、変動パターン番号の３つの要素が決定されるが、変動モードＡ番号と変動モードＢ番号とによって１つの変動モードコマンドが生成され、変動パターン番号によって１つの変動パターンコマンドが生成される。これにより、コマンドの生成、送信処理の負荷を低減するようにしている。なお、本実施形態では、変動モードＢ番号に基づいて変動モードコマンドの先行コマンドを生成し、変動モードＡ番号に基づいて変動モードコマンドの後続コマンドを生成することとしたが、変動モードＡ番号に基づいて先行コマンドを生成し、変動モードＢ番号に基づいて後続コマンドを生成してもよい。また、変動モードＡ番号や変動モードＢ番号に基づいて変動パターンコマンドの先行コマンドあるいは後続コマンドを生成してもよい。いずれにしても、各コマンドは、変動モードＡ番号、変動モードＢ番号、変動パターン番号の数に応じて適宜生成することとすればよい。
【００８８】
図１３は、大当たりに当選した場合に実行される特別遊技を制御するための特別電動役物作動テーブルを説明する図である。特別電動役物作動テーブルは、特別遊技の実行中に大入賞口開閉ソレノイド２８ｃを通電制御するために参照されるものであり、本実施形態においては、特別電動役物作動テーブルとして、作動テーブル１、２が設けられている。
【００８９】
そして、特別図柄Ａが決定されると、作動テーブル１を参照して特別遊技が実行される。この作動テーブル１によれば、大入賞口２８が２９秒開放すること、または、大入賞口２８に８個の遊技球が入球する（カウントＣ＝８）ことのいずれかの条件が成立することによって終了するラウンド遊技が１５回実行される。なお、各ラウンド遊技中、大入賞口２８は１回のみ開放され、各ラウンド遊技間に設定される大入賞口２８の閉鎖時間すなわちインターバル時間が２．０秒に設定されている。
【００９０】
また、特別図柄Ｂ、Ｃが決定されると、作動テーブル２を参照して特別遊技が実行される。この作動テーブル２によれば、大入賞口２８が２９秒開放すること、または、大入賞口２８に８個の遊技球が入球する（カウントＣ＝８）ことのいずれかの条件が成立することによって終了するラウンド遊技が５回実行される。なお、各ラウンド遊技中、大入賞口２８は１回のみ開放され、各ラウンド遊技間に設定される大入賞口２８の閉鎖時間すなわちインターバル時間が２．０秒に設定されている。
【００９１】
図１４は、上記のようにして特別遊技が実行された場合に、当該特別遊技の終了後の遊技状態を設定するための遊技状態設定テーブルを説明する図である。特別遊技の終了後の遊技状態は、大当たりの抽選によって決定された特別図柄の種別と、大当たり当選時の遊技状態とによって決定される。
【００９２】
図示のとおり、特別図柄Ａ、Ｂが決定された場合には、特別遊技の終了後に高確率遊技状態に設定され、特別図柄Ｃが決定された場合には、特別遊技の終了後に低確率遊技状態に設定される。なお、高確率遊技状態の継続回数（以下、「高確回数」という）は１００００回に設定される。これは、高確率遊技状態が、大当たりの抽選結果が１００００回確定するまで継続することを意味している。高確率遊技状態においては、大当たりの当選確率が約１／３９．２４に設定されていることから、実質的には、大当たりに再度当選するまで高確率遊技状態が継続することとなる。ただし、上記した高確回数は１の高確率遊技状態における最大継続回数を示すものであり、上記の継続回数に到達するまでの間に大当たりに当選した場合には、再度、高確回数の設定が行われることとなる。
【００９３】
また、特別遊技の終了後には、高確率遊技状態または低確率遊技状態のいずれかに設定されるとともに、必ず時短遊技状態に設定されることとなるが、この時短遊技状態の継続回数（以下、「時短回数」という）は、特別図柄の種別と、大当たり当選時の遊技状態とに応じて次のようにして決定される。
【００９４】
すなわち、大当たり当選時の遊技状態が時短遊技状態であった場合には、特別図柄（大当たり図柄）の種別を問わず、時短回数が１００回に設定される。一方、大当たり当選時の遊技状態が非時短遊技状態であった場合に、特別図柄（大当たり図柄）の種別が特別図柄Ａであれば、時短回数が１８回に設定され、特別図柄（大当たり図柄）の種別が特別図柄Ｂ、Ｃであれば、時短回数が９回に設定される。
【００９５】
図１５は、当たり決定乱数判定テーブルを説明する図である。遊技領域１６を流下する遊技球がゲート２４を通過すると、第２始動口２２の可動片２２ｂを通電制御するか否かが対応付けられた普通図柄の決定処理（以下、「普図抽選」という）が行われる。
【００９６】
なお、詳しくは後述するが、遊技球がゲート２４を通過すると、０〜１９の範囲内から１つの当たり決定乱数が取得されるとともに、この乱数値がメインＲＡＭ１００ｃの普図保留記憶領域に４つを上限として記憶される。したがって、普図保留記憶領域に４つの乱数値が記憶された状態で、遊技球がゲート２４を通過した場合には、当該遊技球の通過に基づいて乱数値が記憶されることはない。以下では、ゲート２４を遊技球が通過して普図保留記憶領域に記憶された乱数値（当たり決定乱数）を普図保留とよぶ。
【００９７】
非時短遊技状態において普図抽選を開始する場合には、図１５（ａ）に示す普通図柄判定テーブル１が参照される。この普通図柄判定テーブル１によれば、当たり決定乱数が０であった場合に当選と判定し、当たり決定乱数が１〜１９あった場合にはハズレと判定する。したがって、この場合の当選確率は１／２０となる。
【００９８】
また、時短遊技状態において普図抽選を開始する場合には、図１５（ｂ）に示す普通図柄判定テーブル２が参照される。この普通図柄判定テーブル２によれば、当たり決定乱数が０〜１８であった場合に当選と判定し、当たり決定乱数が１９であった場合にはハズレと判定する。したがって、この場合の当選確率は１９／２０となる。なお、普図抽選によって当選の判定結果が得られた場合には当たり図柄が決定され、ハズレの判定結果が得られた場合にはハズレ図柄が決定される。
【００９９】
図１６（ａ）は、普通図柄変動パターン決定テーブルを説明する図であり、図１６（ｂ）は、第２始動口開放制御テーブルを説明する図である。上記のように、普図抽選が行われると、普通図柄の変動パターンが決定される。ここでは、遊技状態が非時短遊技状態に設定されている場合には変動時間が２０秒に決定され、遊技状態が時短遊技状態に設定されている場合には変動時間が１秒に決定される。このようにして変動時間が決定されると、当該決定された時間にわたって普通図柄表示器８８が変動表示（点滅表示）される。そして、当たり図柄が決定された場合には普通図柄表示器８８が点灯し、ハズレ図柄が決定された場合には普通図柄表示器８８が消灯する。
【０１００】
そして、普図抽選によって当たり図柄が決定されるとともに、普通図柄表示器８８が点灯した場合には、第２始動口２２の可動片２２ｂが、普図抽選が行われたときの遊技状態に応じて図１６（ｂ）に示すように通電制御される。
【０１０１】
すなわち、非時短遊技状態において当たり図柄が決定された場合には、始動口開閉ソレノイド２２ｃが０．１秒×１回＝０．１秒のみ通電され、第２始動口２２の可動片２２ｂが０．１秒のみ開放する。また、時短遊技状態において当たり図柄が決定された場合には、始動口開閉ソレノイド２２ｃが２．９秒×２回＝５．８秒通電され、第２始動口２２の可動片２２ｂが合計で５．８秒開放する。
【０１０２】
このように、時短遊技状態においては、非時短遊技状態よりも第２始動口２２に遊技球が入球しやすくなる。つまり、時短遊技状態においては、ゲート２４を遊技球が通過する限りにおいて、次々と普図抽選がなされるとともに、第２始動口２２が頻繁に開放状態となるため、遊技者は遊技球の費消を低減しながら、大当たりの抽選を行うことが可能となる。
【０１０３】
次に、遊技機１における遊技の進行について、フローチャートを用いて説明する。
【０１０４】
（主制御基板のメイン処理）
図１７を用いて、主制御基板１００のメイン処理を説明する。
【０１０５】
電源基板より電源が供給されると、メインＣＰＵ１００ａにシステムリセットが発生し、メインＣＰＵ１００ａは、以下のメイン処理を行う。
【０１０６】
（ステップＳ１）
メインＣＰＵ１００ａは、初期化処理として、電源投入に応じて、メインＲＯＭ１００ｂから起動プログラムを読み込むとともに、メインＲＡＭ１００ｃに記憶されるフラグ等を初期化したり、副制御基板２００に送信する各種のコマンドを演出用伝送データ格納領域に記憶したりする。
【０１０７】
（ステップＳ２）
次に、メインＣＰＵ１００ａは、リーチグループ決定乱数、リーチモードＡ決定乱数、リーチモードＢ決定乱数、変動パターン乱数を更新する。以下では、変動演出パターンを決定するためのリーチグループ決定乱数、リーチモードＡ決定乱数、リーチモードＢ決定乱数、変動パターン乱数を総称して変動演出用乱数と呼ぶ。
【０１０８】
（ステップＳ３）
次に、メインＣＰＵ１００ａは、当たり図柄乱数用初期値更新乱数を更新する。この当たり図柄乱数用初期値更新乱数は、当たり図柄乱数の初期値および終了値を決定するためのものである。つまり、後述する当たり図柄乱数の更新処理によって当たり図柄乱数が１周すると、当たり図柄乱数は、そのときの当たり図柄乱数用初期値更新乱数に更新されることとなる。このステップＳ３の処理が終了すると、以降は、所定の割込み処理が行われるまで、ステップＳ２とステップＳ３との処理を繰り返し行う。
【０１０９】
（主制御基板のタイマ割込処理）
図１８を用いて、主制御基板１００のタイマ割込処理を説明する。
【０１１０】
主制御基板１００に設けられたリセット用クロックパルス発生回路によって、所定の周期（４ミリ秒、以下「４ｍｓ」という）毎にクロックパルスが発生されることで、以下のタイマ割込処理が実行される。
【０１１１】
（ステップＳ１００）
まず、メインＣＰＵ１００ａは、各種タイマカウンタを更新する時間制御処理を行う。
【０１１２】
（ステップＳ２００）
次に、メインＣＰＵ１００ａは、当たり図柄乱数、当たり図柄乱数用初期値更新乱数を更新する処理を行う。具体的には、それぞれの乱数カウンタを１加算して、乱数カウンタを更新し、加算した結果が乱数範囲の最大値を超えた場合には、乱数カウンタを０に戻し、乱数カウンタが１周した場合には、その時の当たり図柄乱数用初期値更新乱数の値から乱数を更新する。なお、詳しい説明は省略するが、本実施形態では、大当たり決定乱数および当たり決定乱数は、主制御基板１００に内蔵されたハードウェア乱数を用いている。この大当たり決定乱数および当たり決定乱数は、いずれも一定の規則に従って極めて高速に更新され、乱数列が一巡するごと（例えば、５ミリ秒）に自動的に乱数列が変更されるとともに、システムリセット毎にスタート値が変更されるようになっている。
【０１１３】
（ステップＳ３００）
次に、メインＣＰＵ１００ａは、一般入賞口検出スイッチ１８ａ、第１始動口検出スイッチ２０ａ、第２始動口検出スイッチ２２ａ、ゲート検出スイッチ２４ａ、大入賞口検出スイッチ２８ａに入力があったか否か判定する入力制御処理を行う。
【０１１４】
（ステップＳ４００）
次に、メインＣＰＵ１００ａは、特別図柄、特別電動役物の制御を行うための特図特電処理を行う。
【０１１５】
（ステップＳ５００）
次に、メインＣＰＵ１００ａは、普通図柄、普通電動役物の制御を行うための普図普電処理を行う。
【０１１６】
（ステップＳ６００）
次に、メインＣＰＵ１００ａは、一般入賞口１８、第１始動口２０、第２始動口２２、大入賞口２８に遊技球が入球したか否かを確認する。具体的には、一般入賞口検出スイッチ１８ａ、第１始動口検出スイッチ２０ａ、第２始動口検出スイッチ２２ａ、大入賞口検出スイッチ２８ａから検出信号が入力された場合には、それぞれの検出信号に対応する賞球カウンタを更新するとともに、検出信号に対応する払出個数指定コマンドを払出制御基板１２０に送信する。なお、払出制御基板１２０において賞球の払い出しが行われると、その賞球ごとに主制御基板１００にコマンドが送信され、当該コマンドを受信すると、賞球カウンタが０になるまで賞球カウンタを減算する。
【０１１７】
（ステップＳ７００）
次に、メインＣＰＵ１００ａは、外部情報データ、第２始動口開閉ソレノイドデータ、大入賞口開閉ソレノイドデータ、各表示器８０、８２、８４、８６、８８、９０の表示データを作成する処理を行う。
【０１１８】
（ステップＳ８００）
次に、メインＣＰＵ１００ａは、上記ステップＳ７００で作成した各データの信号を出力させるポート出力処理、および、上記各ステップでメインＲＡＭ１００ｃの演出用伝送データ格納領域にセットされたコマンドを送信するコマンド送信処理を行う。
【０１１９】
以下に、上記したタイマ割込処理のうち、ステップＳ３００の入力制御処理、ステップＳ４００の特図特電処理、ステップＳ５００の普図普電処理について、詳細に説明する。
【０１２０】
図１９は、上記ステップＳ３００の入力制御処理を説明するフローチャートである。
【０１２１】
（ステップＳ３１０）
まず、メインＣＰＵ１００ａは、一般入賞口検出スイッチ１８ａから検出信号が入力されたか、すなわち、遊技球が一般入賞口１８に入球したか否かを判定する。メインＣＰＵ１００ａは、一般入賞口検出スイッチ１８ａから検出信号が入力された場合には、賞球のために用いる一般入賞口賞球カウンタに所定のデータを加算して更新する。
【０１２２】
（ステップＳ３２０）
次に、メインＣＰＵ１００ａは、大入賞口検出スイッチ２８ａから検出信号が入力されたか、すなわち、遊技球が大入賞口２８に入球したか否かを判定する。メインＣＰＵ１００ａは、大入賞口検出スイッチ２８ａから検出信号が入力された場合には、賞球のために用いる大入賞口賞球カウンタに所定のデータを加算して更新するとともに、大入賞口２８に入球した遊技球を計数するための大入賞口入球カウンタを加算して更新する。
【０１２３】
（ステップＳ３３０）
次に、メインＣＰＵ１００ａは、第１始動口検出スイッチ２０ａから検出信号が入力されたか、すなわち、遊技球が第１始動口２０に入球したか否かを判定して、大当たりの抽選を行うための所定のデータをセットする。詳しくは、図２０を用いて後述する。
【０１２４】
（ステップＳ３４０）
次に、メインＣＰＵ１００ａは、第２始動口検出スイッチ２２ａから検出信号が入力されたか、すなわち、遊技球が第２始動口２２に入球したか否かを判定して、大当たりの抽選を行うための所定のデータをセットする。詳しくは、図２２を用いて後述する。
【０１２５】
（ステップＳ３５０）
次に、メインＣＰＵ１００ａは、ゲート検出スイッチ２４ａから信号が入力されたか、すなわち、遊技球がゲート２４を通過したか否かを判定して、普通図柄の抽選を行うための所定のデータをセットする。詳しくは、図２３を用いて後述する。
【０１２６】
図２０は、上記ステップＳ３３０の第１始動口検出スイッチ入力処理を説明するフローチャートである。
【０１２７】
（ステップＳ３３０−１）
まず、メインＣＰＵ１００ａは、第１始動口検出スイッチ２０ａから検出信号が入力されたか否かを判定する。第１始動口検出スイッチ２０ａから検出信号が入力されたと判定した場合にはステップＳ３３０−２に処理を移し、第１始動口検出スイッチ２０ａから検出信号が入力されていないと判定した場合には、第１始動口検出スイッチ入力処理を終了する。
【０１２８】
（ステップＳ３３０−２）
次に、メインＣＰＵ１００ａは、保留記憶領域に記憶されている特１保留数（Ｘ１）が４未満であるか否かを判定する。その結果、特１保留数（Ｘ１）<４と判定した場合にはステップＳ３３０−３に処理を移し、特１保留数（Ｘ１）≧４と判定した場合には第１始動口検出スイッチ入力処理を終了する。
【０１２９】
（ステップＳ３３０−３）
上記ステップＳ３３０−２において、特１保留数（Ｘ１）<４と判定した場合には、メインＣＰＵ１００ａは、特１保留数（Ｘ１）に「１」加算した値を新たな特１保留数（Ｘ１）として記憶する。
【０１３０】
（ステップＳ３３０−４）
次に、メインＣＰＵ１００ａは、現在の大当たり決定乱数を取得して、保留記憶領域にある第１記憶部から第８記憶部まで順に空いている記憶部を検索し、空いている記憶部に取得した大当たり決定乱数を記憶する。
【０１３１】
（ステップＳ３３０−５）
次に、メインＣＰＵ１００ａは、上記ステップＳ２００で更新された当たり図柄乱数を取得するとともに、当該取得した当たり図柄乱数を、上記ステップＳ３３０−４で大当たり決定乱数を記憶したのと同じ記憶部に記憶する。
【０１３２】
（ステップＳ３３０−６）
次に、メインＣＰＵ１００ａは、上記ステップＳ２で更新されたリーチグループ決定乱数を取得するとともに、上記ステップＳ３３０−４およびステップＳ３３０−５で各乱数を記憶したのと同じ記憶部に記憶する。
【０１３３】
（ステップＳ３３０−７）
次に、メインＣＰＵ１００ａは、上記ステップＳ２で更新されたリーチモードＡ決定乱数を取得するとともに、上記ステップＳ３３０−４〜ステップＳ３３０−６で各乱数を記憶したのと同じ記憶部に記憶する。
【０１３４】
（ステップＳ３３０−８）
次に、メインＣＰＵ１００ａは、上記ステップＳ２で更新されたリーチモードＢ決定乱数を取得するとともに、上記ステップＳ３３０−４〜ステップＳ３３０−７で各乱数を記憶したのと同じ記憶部に記憶する。
【０１３５】
（ステップＳ３３０−９）
次に、メインＣＰＵ１００ａは、上記ステップＳ２で更新された変動パターン乱数を取得するとともに、上記ステップＳ３３０−４〜ステップＳ３３０−８で各乱数を記憶したのと同じ記憶部に記憶する。
【０１３６】
（ステップＳ３３０−１０）
次に、メインＣＰＵ１００ａは、特１保留が記憶されたことを示す始動入賞コマンドを生成して演出用伝送データ格納領域にセットする。
【０１３７】
（ステップＳ３３１）
次に、メインＣＰＵ１００ａは、事前判定処理を実行して第１始動口検出スイッチ入力処理を終了する。この事前判定処理について、図２１を用いて説明する。
【０１３８】
図２１は、上記ステップＳ３３１の事前判定処理を説明するフローチャートである。
【０１３９】
（ステップＳ３３１−１）
まず、メインＣＰＵ１００ａは、低確率遊技状態において大当たりの抽選を行う際に参照する大当たり決定乱数判定テーブル１（図４（ａ）参照）をセットする。
【０１４０】
（ステップＳ３３１−２）
次に、メインＣＰＵ１００ａは、上記ステップＳ３３１−１でセットした大当たり決定乱数判定テーブル１と、上記ステップＳ３３０−４で取得した大当たり決定乱数とに基づいて、当該新たに記憶した特１保留が、低確率遊技状態において大当たりと判定されるか否かを判定する。
【０１４１】
（ステップＳ３３１−３）
上記ステップＳ３３１−２において、新たに記憶された保留が低確率遊技状態において「大当たり」の判定結果が導出されるものであると判定した場合にはステップＳ３３１−４に処理を移し、新たに記憶された保留が低確率遊技状態において「大当たり」の判定結果が導出されるものではないと判定した場合にはステップＳ３３１−５に処理を移す。
【０１４２】
（ステップＳ３３１−４）
上記ステップＳ３３１−３において、新たに記憶された保留が「大当たり」の判定結果が導出されるものであると判定した場合には、メインＣＰＵ１００ａは、事前判定コマンド１（大当たり確定コマンド）をセットする。
【０１４３】
（ステップＳ３３１−５）
一方、上記ステップＳ３３１−３において、新たに記憶された保留が「大当たり」の判定結果が導出されるものではないと判定した場合には、メインＣＰＵ１００ａは、高確率遊技状態において大当たりの抽選を行う際に参照する大当たり決定乱数判定テーブル２（図４（ｂ）参照）をセットする。
【０１４４】
（ステップＳ３３１−６）
次に、メインＣＰＵ１００ａは、上記ステップＳ３３１−５でセットした大当たり決定乱数判定テーブル２と、上記ステップＳ３３０−４で取得した大当たり決定乱数とに基づいて、当該新たに記憶した保留が、高確率遊技状態において大当たりと判定されるか否かを判定する。
【０１４５】
（ステップＳ３３１−７）
上記ステップＳ３３１−６において、新たに記憶された保留が高確率遊技状態において「大当たり」の判定結果が導出されるものであると判定した場合にはステップＳ３３１−８に処理を移し、新たに記憶された保留が高確率遊技状態において「大当たり」の判定結果が導出されるものではないと判定した場合にはステップＳ３３１−９に処理を移す。
【０１４６】
（ステップＳ３３１−８）
上記ステップＳ３３１−７において、新たに記憶された保留が「大当たり」の判定結果が導出されるものであると判定した場合には、メインＣＰＵ１００ａは、事前判定コマンド２（高確時大当たりコマンド）をセットする。
【０１４７】
（ステップＳ３３１−９）
一方、上記ステップＳ３３１−７において、新たに記憶された保留が「大当たり」の判定結果が導出されるものではないと判定した場合には、メインＣＰＵ１００ａは、事前判定コマンド３（ハズレコマンド）をセットする。
【０１４８】
図２２は、上記ステップＳ３４０の第２始動口検出スイッチ入力処理を説明するフローチャートである。
【０１４９】
（ステップＳ３４０−１）
まず、メインＣＰＵ１００ａは、第２始動口検出スイッチ２２ａから検出信号が入力されたか否かを判定する。第２始動口検出スイッチ２２ａから検出信号が入力されたと判定した場合にはステップＳ３４０−２に処理を移し、第２始動口検出スイッチ２２ａから検出信号が入力されていないと判定した場合には、第２始動口検出スイッチ入力処理を終了する。
【０１５０】
（ステップＳ３４０−２）
次に、メインＣＰＵ１００ａは、保留記憶領域に記憶されている特２保留数（Ｘ２）が４未満であるか否かを判定する。その結果、特２保留数（Ｘ２）<４と判定した場合にはステップＳ３４０−３に処理を移し、特２保留数（Ｘ２）≧４と判定した場合には第２始動口検出スイッチ入力処理を終了する。
【０１５１】
（ステップＳ３４０−３）
上記ステップＳ３４０−２において、特２保留数（Ｘ２）<４と判定した場合には、メインＣＰＵ１００ａは、特２保留数（Ｘ２）に「１」加算した値を新たな特２保留数（Ｘ２）として記憶する。
【０１５２】
（ステップＳ３４０−４）
次に、メインＣＰＵ１００ａは、現在の大当たり決定乱数を取得して、保留記憶領域にある第１記憶部から第８記憶部まで順に空いている記憶部を検索し、空いている記憶部に取得した大当たり決定乱数を記憶する。
【０１５３】
（ステップＳ３４０−５）
次に、メインＣＰＵ１００ａは、上記ステップＳ２００で更新された当たり図柄乱数を取得するとともに、当該取得した当たり図柄乱数を、上記ステップＳ３４０−４で大当たり決定乱数を記憶したのと同じ記憶部に記憶する。
【０１５４】
（ステップＳ３４０−６）
次に、メインＣＰＵ１００ａは、上記ステップＳ２で更新されたリーチグループ決定乱数を取得するとともに、上記ステップＳ３４０−４およびステップＳ３４０−５で各乱数を記憶したのと同じ記憶部に記憶する。
【０１５５】
（ステップＳ３４０−７）
次に、メインＣＰＵ１００ａは、上記ステップＳ２で更新されたリーチモードＡ決定乱数を取得するとともに、上記ステップＳ３４０−４〜ステップＳ３４０−６で各乱数を記憶したのと同じ記憶部に記憶する。
【０１５６】
（ステップＳ３４０−８）
次に、メインＣＰＵ１００ａは、上記ステップＳ２で更新されたリーチモードＢ決定乱数を取得するとともに、上記ステップＳ３４０−４〜ステップＳ３４０−７で各乱数を記憶したのと同じ記憶部に記憶する。
【０１５７】
（ステップＳ３４０−９）
次に、メインＣＰＵ１００ａは、上記ステップＳ２で更新された変動パターン乱数を取得するとともに、上記ステップＳ３４０−４〜ステップＳ３４０−８で各乱数を記憶したのと同じ記憶部に記憶する。
【０１５８】
（ステップＳ３４０−１０）
次に、メインＣＰＵ１００ａは、特２保留が記憶されたことを示す始動入賞コマンドを生成して演出用伝送データ格納領域にセットする。
【０１５９】
（ステップＳ３３１）
次に、メインＣＰＵ１００ａは、図２１に示す事前判定処理を実行して第２始動口検出スイッチ入力処理を終了する。なお、ここでは、図２１の事前判定処理のうち、ステップＳ３３１−２およびステップＳ３３１−６において、上記ステップＳ３４０−４で取得した大当たり決定乱数を用いる点以外は、上記したとおりであるため、詳細な説明は省略する。
【０１６０】
図２３は、上記ステップＳ３５０のゲート検出スイッチ入力処理を説明するフローチャートである。
【０１６１】
（ステップＳ３５０−１）
まず、メインＣＰＵ１００ａは、ゲート検出スイッチ２４ａから検出信号が入力されたか否かを判定する。その結果、ゲート検出スイッチ２４ａから検出信号が入力されたと判定した場合にはステップＳ３５０−２に処理を移し、ゲート検出スイッチ２４ａから検出信号が入力されていないと判定した場合には、当該ゲート検出スイッチ入力処理を終了する。
【０１６２】
（ステップＳ３５０−２）
上記ステップＳ３５０−１において、ゲート検出スイッチ２４ａから検出信号が入力されたと判定した場合には、メインＣＰＵ１００ａは、普図保留数（Ｙ）が４未満であるかを判定する。その結果、普図保留数（Ｙ）<４と判定した場合にはステップＳ３５０−３に処理を移し、普図保留数（Ｙ）≧４と判定した場合には、当該ゲート検出スイッチ入力処理を終了する。
【０１６３】
（ステップＳ３５０−３）
上記ステップＳ３５０−２において、普図保留数（Ｙ）<４と判定した場合には、メインＣＰＵ１００ａは、普図保留数（Ｙ）に「１」加算した値を新たな普図保留数（Ｙ）として記憶する。
【０１６４】
（ステップＳ３５０−４）
次に、メインＣＰＵ１００ａは、現在の当たり決定乱数を取得して普通図柄保留記憶領域に記憶して、当該ゲート検出スイッチ入力処理を終了する。なお、普通図柄保留記憶領域は、第１記憶部〜第４記憶部の４つの記憶部を有しており、当たり決定乱数が取得されると、第１記憶部から順に当たり決定乱数が記憶されていない空きの記憶部が検索され、空いている記憶部のうちもっとも番号（序数）の小さい記憶部に、取得した当たり決定乱数が記憶される。以下では、普通図柄保留記憶領域の記憶部に記憶された当たり決定乱数を普図保留とよぶ。
【０１６５】
次に、図２４〜図３０を用いて、主制御基板１００において実行される上記の特別図柄遊技に係る処理について説明する。
【０１６６】
図２４は、上記ステップＳ４００の特図特電処理を説明するフローチャートである。
【０１６７】
（ステップＳ４１０）
まず、メインＣＰＵ１００ａは、特図特電データの値をロードする。この特図特電データとしては、特別図柄変動開始処理の実行を示すデータ「００」と、特別図柄変動停止処理の実行を示すデータ「０１」と、停止後処理の実行を示すデータ「０２」と、特別電動役物制御処理の実行を示すデータ「０３」と、特別遊技終了処理の実行を示すデータ「０４」と、が設けられている。
【０１６８】
そして、メインＣＰＵ１００ａは、上記ステップＳ４１０でロードした特図特電データの値に基づいて、特別図柄変動開始処理（ステップＳ４２０）、特別図柄変動停止処理（ステップＳ４３０）、停止後処理（ステップＳ４４０）、特別電動役物制御処理（ステップＳ４５０）、特別遊技終了処理（ステップＳ４６０）を実行する。これら各処理について、以下に、図面を参照して説明する。
【０１６９】
図２５は、上記ステップＳ４２０の特別図柄変動開始処理を説明するフローチャートである。この特別図柄変動開始処理は、上記ステップＳ４１０において、特図特電データ＝００であると判定した場合に実行される。
【０１７０】
（ステップＳ４２０−１）
メインＣＰＵ１００ａは、保留記憶領域に特１保留または特２保留が記憶されているか（特１保留数（Ｘ１）≧１または特２保留数（Ｘ２）≧１）を判定する。その結果、特１保留および特２保留のいずれかが記憶されていると判定した場合にはステップＳ４２０−２に処理を移し、特１保留および特２保留のいずれも記憶されていないと判定した場合にはステップＳ４２０−７に処理を移す。
【０１７１】
（ステップＳ４２０−２）
上記ステップＳ４２０−１において、保留記憶領域に特１保留または特２保留が記憶されていると判定した場合には、メインＣＰＵ１００ａは、保留記憶領域のシフト処理を行う。ここでは、第１記憶部に記憶されている各乱数を所定の処理領域に記憶するとともに、第２記憶部〜第８記憶部に記憶されている各乱数を、１つ番号（序数）が小さい記憶部にシフトさせる。
【０１７２】
（ステップＳ４２０−３）
次に、メインＣＰＵ１００ａは、大当たり決定乱数判定テーブル（図４参照）のうち、現在の遊技状態に対応するテーブルを選択し、当該選択したテーブルと、上記ステップＳ４２０−２において処理領域に記憶された大当たり決定乱数とに基づいて大当たりの抽選結果を導出する。
【０１７３】
そして、導出した抽選結果が「大当たり」であった場合には、始動口種別（特１保留か特２保留か）に応じて当たり図柄決定乱数判定テーブル（図５参照）を選択するとともに、当該選択したテーブルと、上記ステップＳ４２０−２において処理領域に記憶された当たり図柄乱数とに基づいて特別図柄種別を決定する。また、導出した抽選結果が「ハズレ」であった場合には、始動口種別が第１始動口２０（特１保留）であれば特別図柄Ｘを決定し、始動口種別が第２始動口２２（特２保留）であれば特別図柄Ｙを決定する。そして、当該決定した特別図柄に対応するデータを、メインＲＡＭ１００ｃの所定の領域に記憶する。また、この特別図柄決定処理においては、現在の遊技状態、すなわち、特別図柄を決定したときの遊技状態が遊技状態バッファに記憶される。
【０１７４】
なお、この特別図柄変動開始処理によれば、特１保留および特２保留が保留記憶領域に記憶された順に処理される。ただし、特１保留および特２保留の双方が記憶されている場合に、特１保留および特２保留のいずれか一方を優先的に処理してもよい。
【０１７５】
（ステップＳ４２０−４）
次に、メインＣＰＵ１００ａは、上記ステップＳ４２０−３で決定された特別図柄の種別を示す図柄決定コマンドを演出用伝送データ格納領域にセットする。これにより、決定された特別図柄の種別に係る情報が、変動演出の開始時に副制御基板２００に伝送されることとなる。
【０１７６】
（ステップＳ４２１）
次に、メインＣＰＵ１００ａは、上記ステップＳ４２０−２において処理領域に記憶されたリーチグループ決定乱数、リーチモードＡ決定乱数、リーチモードＢ決定乱数、変動パターン乱数に基づいて、変動演出パターンを決定する変動演出パターン決定処理を行う。この変動演出パターン決定処理については、図２６を用いて後述する。
【０１７７】
（ステップＳ４２０−５）
次に、メインＣＰＵ１００ａは、第１特別図柄表示器８０または第２特別図柄表示器８２において、特別図柄の変動表示を開始するための変動表示データをセットする。これにより、特１保留に基づいて特別図柄の変動表示が行われる場合には、第１特別図柄表示器８０が点滅表示を開始するとともに、特２保留に基づいて特別図柄の変動表示が行われる場合には、第２特別図柄表示器８２が点滅表示を開始する。なお、ここで制御される点滅表示とは、各表示器８０、８２において「−」が所定の間隔で点滅することをいうものである。また、特１保留に基づいて特別図柄の変動表示が行われる場合には、変動表示の開始と同時に、特１保留が１つ減ることを示すように、第１特別図柄保留表示器８４が表示制御され、特２保留に基づいて特別図柄の変動表示が行われる場合には、変動表示の開始と同時に、特２保留が１つ減ることを示すように、第２特別図柄保留表示器８６が表示制御される。
【０１７８】
（ステップＳ４２０−６）
次に、メインＣＰＵ１００ａは、特図特電処理において特別図柄変動停止処理が実行されるように、特図特電データに「０１」をセットし、当該特別図柄変動開始処理を終了する。
【０１７９】
（ステップＳ４２０−７）
また、上記ステップＳ４２０−１において、特１保留および特２保留のいずれも記憶されていないと判定した場合には、メインＣＰＵ１００ａは、デモ判定処理を実行する。このデモ判定処理において、メインＣＰＵ１００ａは、特別図柄の変動表示が行われていない時間を計時するとともに、所定時間にわたって特別図柄の変動表示が行われない場合には、演出表示部５０ａにデモ画面を表示するためのデモコマンドを演出用伝送データ格納領域に記憶する。
【０１８０】
図２６は、上記ステップＳ４２１の変動演出パターン決定処理を説明するフローチャートである。
【０１８１】
（ステップＳ４２１−１）
まず、メインＣＰＵ１００ａは、上記ステップＳ４２０−３で決定された特別図柄が大当たり図柄であるかを判定する。その結果、大当たり図柄であると判定した場合にはステップＳ４２１−２に処理を移し、大当たり図柄ではないと判定した場合にはステップＳ４２１−４に処理を移す。
【０１８２】
（ステップＳ４２１−２）
上記ステップＳ４２１−１において、決定された特別図柄は大当たり図柄であると判定した場合には、メインＣＰＵ１００ａは、決定された大当たり図柄に係るデータをロードする。
【０１８３】
（ステップＳ４２１−３）
次に、メインＣＰＵ１００ａは、上記ステップＳ４２１−２でロードした大当たり図柄に係るデータに基づいて、大当たり時リーチモードＡ決定乱数判定テーブル（図８参照）をセットする。
【０１８４】
（ステップＳ４２１−４）
一方、上記ステップＳ４２１−１において、決定した特別図柄は大当たり図柄ではないと判定した場合には、メインＣＰＵ１００ａは、現在の保留数を確認する。具体的には、特１保留に基づいて大当たりの抽選が行われた場合には特１保留数（Ｘ１）を確認し、特２保留に基づいて大当たりの抽選が行われた場合には特２保留数（Ｘ２）を確認する。
【０１８５】
（ステップＳ４２１−５）
次に、メインＣＰＵ１００ａは、大当たりの抽選が行われた保留種別（始動口種別）と、上記ステップＳ４２１−４で確認した保留数とに基づいて、リーチグループ決定乱数判定テーブル（図６参照）をセットする。
【０１８６】
（ステップＳ４２１−６）
次に、メインＣＰＵ１００ａは、上記ステップＳ４２０−２またはステップＳ４２０−４で処理領域に書き込まれたリーチグループ決定乱数と、上記ステップＳ４２１−５でセットされたリーチグループ決定乱数判定テーブルとに基づいて、グループ種別を決定するとともに、当該決定したグループ種別を所定の処理領域に記憶する。
【０１８７】
（ステップＳ４２１−７）
次に、メインＣＰＵ１００ａは、上記ステップＳ４２１−６で決定されたグループ種別に基づいて、ハズレ時リーチモードＡ決定乱数判定テーブル（図７参照）をセットする。
【０１８８】
（ステップＳ４２１−８）
メインＣＰＵ１００ａは、上記ステップＳ４２１−３でセットされた大当たり時リーチモードＡ決定乱数判定テーブル、または、上記ステップＳ４２１−７でセットされたハズレ時リーチモードＡ決定乱数判定テーブルと、上記ステップＳ４２０−２またはステップＳ４２０−４で処理領域に書き込まれたリーチモードＡ決定乱数とに基づいて、変動モードＡ番号を決定するとともに、当該決定した変動モードＡ番号を所定の処理領域に記憶する。また、ここでは変動モードＡ番号が決定されるのと同時に、リーチモードＢ決定乱数判定テーブルおよび変動パターン抽選テーブルが決定される。
【０１８９】
（ステップＳ４２１−９）
次に、メインＣＰＵ１００ａは、上記ステップＳ４２１−８で決定されたリーチモードＢ決定乱数判定テーブル（図９参照）をセットする。
【０１９０】
（ステップＳ４２１−１０）
次に、メインＣＰＵ１００ａは、上記ステップＳ４２１−９でセットされたリーチモードＢ決定乱数判定テーブルと、上記ステップＳ４２０−２またはステップＳ４２０−４で処理領域に書き込まれたリーチモードＢ決定乱数とに基づいて、変動モードＢ番号を決定するとともに、当該決定した変動モードＢ番号を所定の処理領域に記憶する。
【０１９１】
（ステップＳ４２１−１１）
次に、メインＣＰＵ１００ａは、上記ステップＳ４２１−８で決定された変動パターン抽選テーブル（図１０参照）をセットする。
【０１９２】
（ステップＳ４２１−１２）
次に、メインＣＰＵ１００ａは、上記ステップＳ４２１−１１でセットされた変動パターン抽選テーブルと、上記ステップＳ４２０−２またはステップＳ４２０−４で処理領域に書き込まれた変動パターン乱数とに基づいて、変動パターン番号を決定するとともに、当該決定した変動パターン番号を所定の処理領域に記憶する。
【０１９３】
（ステップＳ４２１−１３）
次に、メインＣＰＵ１００ａは、上記ステップＳ４２１−８で決定された変動モードＡ番号、上記ステップＳ４２１−１０で決定された変動モードＢ番号、上記ステップＳ４２１−１２で決定された変動パターン番号と、変動時間決定テーブル（図１１参照）とに基づいて、変動時間１〜３を決定する。そして、決定した変動時間１〜３をそれぞれ記憶するとともに、変動時間１〜３を積算した合計変動時間を算出して、変動時間タイマカウンタにセットする。また、ここでは、決定された変動モードＡ番号および変動モードＢ番号に基づいて変動モードコマンドが生成されるとともに、決定された変動パターン番号に基づいて変動パターンコマンドが生成される。これにより、変動演出パターン決定処理が終了となる。
【０１９４】
図２７は、上記ステップＳ４３０の特別図柄変動停止処理を説明するフローチャートである。この特別図柄変動停止処理は、上記ステップＳ４１０において、特図特電データ＝０１であると判定した場合に実行される。
【０１９５】
（ステップＳ４３０−１）
メインＣＰＵ１００ａは、変動時間（ステップＳ４２１−１３でセット）が経過したか否かを判定する。その結果、変動時間が経過したと判定した場合にはステップＳ４３０−２に処理を移し、変動時間は経過していないと判定した場合には当該特別図柄変動停止処理を終了する。
【０１９６】
（ステップＳ４３０−２）
上記ステップＳ４３０−１において、変動時間が経過したと判定した場合には、メインＣＰＵ１００ａは、上記ステップＳ４２０−３で決定、記憶された特別図柄を、第１特別図柄表示器８０または第２特別図柄表示器８２に停止表示するための停止表示データをセットする。
【０１９７】
（ステップＳ４３０−３）
次に、メインＣＰＵ１００ａは、図柄が確定したことを示す図柄確定コマンドを演出用伝送データ格納領域にセットする。
【０１９８】
（ステップＳ４３０−４）
次に、メインＣＰＵ１００ａは、上記のようにして特別図柄の停止表示を開始したら、停止表示時間カウンタに図柄を停止表示する時間をセットする。
【０１９９】
（ステップＳ４３０−５）
次に、メインＣＰＵ１００ａは、特図特電処理において停止後処理が実行されるように、特図特電データに「０２」をセットし、当該特別図柄変動停止処理を終了する。
【０２００】
図２８は、上記ステップＳ４４０の停止後処理を説明するフローチャートである。この停止後処理は、上記ステップＳ４１０において、特図特電データ＝０２であると判定した場合に実行される。
【０２０１】
（ステップＳ４４０−１）
メインＣＰＵ１００ａは、停止表示時間（ステップＳ４３０−４でセット）が経過したか否かを判定する。その結果、停止表示時間は経過していないと判定した場合には当該停止後処理を終了し、停止表示時間を経過したと判定した場合にはステップＳ４４０−２に処理を移す。
【０２０２】
（ステップＳ４４０−２）
上記ステップＳ４４０−１において、停止表示時間が経過したと判定した場合には、メインＣＰＵ１００ａは、現在設定されている遊技状態を遊技状態バッファに記憶する。
【０２０３】
（ステップＳ４４０−３）
次に、メインＣＰＵ１００ａは、時短回数更新処理を行う。ここでは、メインＣＰＵ１００ａは、現在の遊技状態が時短遊技状態であることを示す時短遊技フラグがオンしているか否かを判定する。そして、時短遊技フラグがオンしている場合には、メインＲＡＭ１００ｃに設けられた時短回数記憶領域を更新する。この時短回数記憶領域には、時短遊技状態が終了するまでの残り変動回数を示す時短回数が記憶されており、ここでは、現在、記憶されている時短回数から「１」減算した値を新たな時短回数として記憶することとなる。なお、時短回数を更新した結果、時短回数＝０となった場合には、同時に時短遊技フラグをオフする処理が行われることとなる。また、時短遊技フラグはオンしていないと判定した場合には、そのまま次のステップＳ４４０−４に処理を移す。
【０２０４】
（ステップＳ４４０−４）
次に、メインＣＰＵ１００ａは、高確回数更新処理を行う。ここでは、メインＣＰＵ１００ａは、現在の遊技状態が高確率遊技状態であることを示す高確遊技フラグがオンしているか否かを判定する。そして、高確遊技フラグがオンしている場合には、メインＲＡＭ１００ｃに設けられた高確回数記憶領域を更新する。この高確回数記憶領域には、高確率遊技状態が終了するまでの残り変動回数を示す高確回数が記憶されており、ここでは、現在、記憶されている高確回数から「１」減算した値を新たな高確回数として記憶することとなる。なお、高確回数を更新した結果、高確回数＝０となった場合には、同時に高確遊技フラグをオフする処理が行われることとなる。また、高確遊技フラグはオンしていないと判定した場合には、そのまま次のステップＳ４４０−５に処理を移す。
【０２０５】
（ステップＳ４４０−５）
次に、メインＣＰＵ１００ａは、停止表示されている図柄が大当たり図柄であるかを判定する。その結果、停止表示されている図柄は大当たり図柄ではないと判定した場合にはステップＳ４４０−６に処理を移し、停止表示されている図柄は大当たり図柄であると判定した場合にはステップＳ４４０−７に処理を移す。
【０２０６】
（ステップＳ４４０−６）
上記ステップＳ４４０−５において、停止表示されている図柄は大当たり図柄ではないと判定した場合には、メインＣＰＵ１００ａは、特図特電処理において特別図柄変動開始処理が実行されるように、特図特電データに「００」をセットし、ステップＳ４４０−１０に処理を移す。
【０２０７】
（ステップＳ４４０−７）
一方、上記ステップＳ４４０−５において、停止表示されている図柄は大当たり図柄であると判定した場合には、メインＣＰＵ１００ａは、大当たり当選時遊技状態コマンドを演出用伝送データ格納領域にセットする。この大当たり当選時遊技状態コマンドは、大当たり当選時の遊技状態が非時短遊技状態であるか、それとも時短遊技状態であるかを副制御基板２００に伝達するためのコマンドである。
【０２０８】
（ステップＳ４４０−８）
次に、メインＣＰＵ１００ａは、現在の遊技状態をリセットする処理を行う。
【０２０９】
（ステップＳ４４０−９）
次に、メインＣＰＵ１００ａは、特図特電処理において特別電動役物制御処理が実行されるように、特図特電データに「０３」をセットする。これにより、大当たり図柄が停止表示した後に特別遊技が開始されることとなる。
【０２１０】
（ステップＳ４４０−１０）
次に、メインＣＰＵ１００ａは、現在の遊技状態を確認し、遊技状態コマンドを演出用伝送データ格納領域にセットして当該停止後処理を終了する。
【０２１１】
図２９は、上記ステップＳ４５０の特別電動役物制御処理を説明するフローチャートである。この特別電動役物制御処理は、上記ステップＳ４１０において、特図特電データ＝０３であると判定した場合に実行される。
【０２１２】
（ステップＳ４５０−１）
メインＣＰＵ１００ａは、まず、特別遊技を開始するにあたってオープニング開始処理を実行する。メインＣＰＵ１００ａは、特別遊技の開始にあたって、まずオープニングコマンドを演出用伝送データ格納領域にセットし、予め設定されたオープニング時間が経過するまで待機することとなる。なお、すでにオープニングコマンドが送信されている場合には、そのままステップＳ４５０−２に処理を移すこととなる。
【０２１３】
（ステップＳ４５０−２）
次に、メインＣＰＵ１００ａは、現在、オープニング中であるか、すなわち、オープニング時間が経過したかを判定する。その結果、オープニング時間が経過していると判定した場合にはステップＳ４５０−３に処理を移し、オープニング時間は経過していないと判定した場合には当該特別電動役物制御処理を終了する。
【０２１４】
（ステップＳ４５０−３）
上記ステップＳ４５０−２において、オープニング時間が経過したと判定した場合には、メインＣＰＵ１００ａは、特別遊技実行処理を行う。ここでは、停止表示されている特別図柄の種別に応じて、作動テーブル１、２のいずれかをセットするとともに、当該セットしたテーブルを参照して、大入賞口開閉ソレノイド２８ｃの通電制御が行われることとなる。
【０２１５】
なお、ここでは、各ラウンド遊技の開始時に、メインＣＰＵ１００ａが、ラウンド開始コマンドを演出用伝送データ格納領域にセットする。このラウンド開始コマンドは、何回目のラウンド遊技が開始されるのかに係る情報を有するものである。これにより、副制御基板２００では、主制御基板１００において何回目のラウンド遊技が開始されるのかを把握することが可能となっている。
【０２１６】
（ステップＳ４５０−４）
次に、メインＣＰＵ１００ａは、大入賞口２８の全開閉が終了したかを判定する。その結果、大入賞口２８の全ての開閉が終了したと判定した場合にはステップＳ４５０−５に処理を移し、大入賞口２８の全ての開閉が終了していないと判定した場合には当該特別電動役物制御処理を終了する。
【０２１７】
（ステップＳ４５０−５）
上記ステップＳ４５０−４において、大入賞口２８の全開閉が終了したと判定した場合には、メインＣＰＵ１００ａは、エンディング開始処理を実行する。ここでは、エンディングコマンドを演出用伝送データ格納領域にセットするとともに、所定のエンディング時間が経過するまで待機する。
【０２１８】
（ステップＳ４５０−６）
次に、メインＣＰＵ１００ａは、エンディング時間が経過したか否かを判定する。その結果、エンディング時間が経過したと判定した場合にはステップＳ４５０−７に処理を移し、エンディング時間は経過していないと判定した場合には当該特別電動役物制御処理を終了する。
【０２１９】
（ステップＳ４５０−７）
上記ステップＳ４５０−６において、エンディング時間が経過したと判定した場合には、メインＣＰＵ１００ａは、特図特電処理において特別遊技終了処理が実行されるように、特図特電データに「０４」をセットし、当該特別電動役物制御処理を終了する。
【０２２０】
図３０は、上記ステップＳ４６０の特別遊技終了処理を説明するフローチャートである。この特別遊技終了処理は、上記ステップＳ４１０において、特図特電データ＝０４であると判定した場合に実行される。
【０２２１】
（ステップＳ４６０−１）
まず、メインＣＰＵ１００ａは、メインＲＡＭ１００ｃに記憶された特別図柄データ、および、遊技状態バッファに記憶された大当たり当選時の遊技状態に係るデータをロードする。そして、図１４に示す遊技状態設定テーブルを参照し、特別遊技の終了後の遊技状態を設定する。具体的には、高確遊技フラグ、高確回数、時短遊技フラグ、時短回数を設定する。
【０２２２】
（ステップＳ４６０−２）
次に、メインＣＰＵ１００ａは、遊技状態を確認し、遊技状態指定コマンドを演出用伝送データ格納領域にセットする。この遊技状態指定コマンドは、上記ステップＳ４６０−１で設定された高確遊技フラグ、高確回数、時短遊技フラグ、時短回数、特別遊技の実行契機となった大当たり図柄の種別に係る情報を有している。
【０２２３】
（ステップＳ４６０−３）
次に、メインＣＰＵ１００ａは、特図特電処理において特別図柄変動開始処理が実行されるように、特図特電データに「００」をセットし、当該特別遊技終了処理を終了する。
【０２２４】
次に、図３１〜図３５を用いて、主制御基板１００において実行される上記の普通図柄遊技に係る処理について説明する。
【０２２５】
図３１は、上記ステップＳ５００の普図普電処理を説明するフローチャートである。
【０２２６】
（ステップＳ５１０）
まず、メインＣＰＵ１００ａは、普図普電データの値をロードする。この普図普電データは、普通図柄変動開始処理の実行を示すデータ「１０」と、普通図柄変動停止処理の実行を示すデータ「１１」と、普通図柄停止後処理の実行を示すデータ「１２」と、普通電動役物制御処理の実行を示すデータ「１３」と、が設けられている。
【０２２７】
次に、メインＣＰＵ１００ａは、普通図柄変動開始処理（ステップＳ５２０）、普通図柄変動停止処理（ステップＳ５３０）、普通図柄停止後処理（ステップＳ５４０）、普通電動役物制御処理（ステップＳ５５０）を実行する。これら各処理について、以下に、図面を参照して説明する。
【０２２８】
図３２は、上記ステップＳ５２０の普通図柄変動開始処理を説明するフローチャートである。
【０２２９】
（ステップＳ５２０−１）
まず、メインＣＰＵ１００ａは、普図普電データが、普通図柄変動開始処理の実行を示すデータ「１０」であるか否かを判定する。その結果、普図普電データ＝１０と判定した場合にはステップＳ５２０−２に処理を移し、普図普電データ＝１０ではないと判定した場合には当該普通図柄変動開始処理を終了する。
【０２３０】
（ステップＳ５２０−２）
上記ステップＳ５２０−１において、普図普電データ＝１０と判定した場合には、メインＣＰＵ１００ａは、普図保留数（Ｙ）が１以上であるかを判定する。その結果、普図保留数（Ｙ）≧１と判定した場合にはステップＳ５２０−３に処理を移し、普図保留数（Ｙ）<１と判定した場合には当該普通図柄変動開始処理を終了する。
【０２３１】
（ステップＳ５２０−３）
上記ステップＳ５２０−２において、普図保留数（Ｙ）≧１と判定した場合には、メインＣＰＵ１００ａは、普図保留数（Ｙ）から「１」減算した値を新たな普図保留数（Ｙ）として記憶する。
【０２３２】
（ステップＳ５２０−４）
次に、メインＣＰＵ１００ａは、普通図柄保留記憶領域に記憶されている普図保留をシフトする処理を行う。具体的には、第１記憶部に記憶されている当たり決定乱数を所定の処理領域に複写するとともに、第２記憶部〜第４記憶部に当たり決定乱数が記憶されている場合には、これら各乱数を１つ番号（序数）の小さい記憶部にシフトさせる。具体的には、第１記憶部に記憶されている乱数を所定の処理領域に複写するとともに、第２記憶部に記憶されている乱数を第１記憶部にシフトさせて記憶する。同様に、第３記憶部および第４記憶部に乱数が記憶されている場合には、これら各乱数を番号（序数）の１つ小さい記憶部にシフトさせる。これにより、普通図柄保留記憶領域に記憶された普図保留は、記憶された順に処理領域に書き込まれることとなる。つまり、普通図柄保留記憶領域に記憶された乱数は、先に記憶された乱数から順に読み出されて、当選判定処理に用いられることとなる。
【０２３３】
（ステップＳ５２０−５）
次に、メインＣＰＵ１００ａは、処理領域に複写された当たり決定乱数の当選判定処理を行う。具体的には、現在の遊技状態が非時短遊技状態である場合には、図１５（ａ）に示す当たり決定乱数判定テーブル１を参照して、処理領域に複写された当たり決定乱数を判定する。また、現在の遊技状態が時短遊技状態である場合には、図１５（ｂ）に示す当たり決定乱数判定テーブル２を参照して、処理領域に複写された当たり決定乱数を判定する。
【０２３４】
（ステップＳ５２０−６）
次に、メインＣＰＵ１００ａは、上記ステップＳ５２０−５の当選判定処理の結果が当選であるか否かを判定する。その結果、当選の判定結果が得られた場合にはステップＳ５２０−７に処理を移し、当選ではなくハズレの判定結果が得られた場合にはステップＳ５２０−８に処理を移す。
【０２３５】
（ステップＳ５２０−７）
上記ステップＳ５２０−６において、判定結果が当選であると判定した場合には、メインＣＰＵ１００ａは、当たり図柄データをメインＲＡＭ１００ｃの所定の領域に記憶する。
【０２３６】
（ステップＳ５２０−８）
一方、上記ステップＳ５２０−６において、判定結果がハズレであると判定した場合には、メインＣＰＵ１００ａは、ハズレ図柄データをメインＲＡＭ１００ｃの所定の領域に記憶する。
【０２３７】
（ステップＳ５２０−９）
次に、メインＣＰＵ１００ａは、現在の遊技状態が、非時短遊技状態または時短遊技状態のいずれに設定されているかを確認するとともに、現在の遊技状態に応じて普図変動時間をセットする。具体的には、図１６（ａ）に示すように、現在の遊技状態が非時短遊技状態である場合には、普図変動時間カウンタに２０秒をセットし、時短遊技状態である場合には普図変動時間カウンタに１秒をセットする。
【０２３８】
（ステップＳ５２０−１０）
次に、メインＣＰＵ１００ａは、普通図柄の変動表示を開始するための変動表示データをセットする。これにより、普通図柄の変動表示が行われる場合には、普通図柄表示器８８が点滅表示を開始する。また、普通図柄の変動表示が開始するのと同時に、普図保留が１つ減ることを示すように、普通図柄保留表示器９０が表示制御される。
【０２３９】
（ステップＳ５２０−１１）
次に、メインＣＰＵ１００ａは、現在の遊技状態を変動開始時の遊技状態として遊技状態バッファに記憶する。
【０２４０】
（ステップＳ５２０−１２）
次に、メインＣＰＵ１００ａは、普図普電処理において普通図柄変動停止処理が実行されるように、普図普電データに「１１」をセットし、当該普通図柄変動開始処理を終了する。
【０２４１】
図３３は、上記ステップＳ５３０の普通図柄変動停止処理を説明するフローチャートである。
【０２４２】
（ステップＳ５３０−１）
まず、メインＣＰＵ１００ａは、普図普電データが、普通図柄変動停止処理の実行を示すデータ「１１」であるか否かを判定する。その結果、普図普電データ＝１１と判定した場合にはステップＳ５３０−２に処理を移し、普図普電データ＝１１ではないと判定した場合には当該普通図柄変動停止処理を終了する。
【０２４３】
（ステップＳ５３０−２）
上記ステップＳ５３０−１において、普図普電データ＝１１と判定した場合には、メインＣＰＵ１００ａは、普図変動時間（ステップＳ５２０−９でセット）が経過したかを判定する。その結果、普図変動時間が経過したと判定した場合にはステップＳ５３０−３に処理を移し、普図変動時間は経過していないと判定した場合には当該普通図柄変動停止処理を終了する。
【０２４４】
（ステップＳ５３０−３）
上記ステップＳ５３０−２において、普図変動時間が経過したと判定した場合には、メインＣＰＵ１００ａは、普通図柄表示器８８に普通図柄を停止表示するための停止表示データをセットする。これにより、普通図柄表示器８８において、普通図柄が停止表示されることとなる。
【０２４５】
（ステップＳ５３０−４）
次に、メインＣＰＵ１００ａは、上記のようにして普通図柄の停止表示を開始したら、停止表示時間カウンタに図柄を停止表示する時間をセットする。
【０２４６】
（ステップＳ５３０−５）
次に、メインＣＰＵ１００ａは、普図普電処理において普通図柄停止後処理が実行されるように、普図普電データに「１２」をセットし、当該普通図柄変動停止処理を終了する。
【０２４７】
図３４は、上記ステップＳ５４０の普通図柄停止後処理を説明するフローチャートである。
【０２４８】
（ステップＳ５４０−１）
まず、メインＣＰＵ１００ａは、普図普電データが、普通図柄停止後処理の実行を示すデータ「１２」であるか否かを判定する。その結果、普図普電データ＝１２と判定した場合にはステップＳ５４０−２に処理を移し、普図普電データ＝１２ではないと判定した場合には当該普通図柄停止後処理を終了する。
【０２４９】
（ステップＳ５４０−２）
上記ステップＳ５４０−１において、普図普電データ＝１２と判定した場合には、メインＣＰＵ１００ａは、停止表示時間（ステップＳ５３０−４でセット）が経過したか否かを判定する。その結果、停止表示時間は経過していないと判定した場合には当該普通図柄停止後処理を終了し、停止表示時間を経過したと判定した場合にはステップＳ５４０−３に処理を移す。
【０２５０】
（ステップＳ５４０−３）
上記ステップＳ５４０−２において、停止表示時間が経過したと判定した場合には、メインＣＰＵ１００ａは、停止表示されている図柄が当たり図柄であるかを判定する。その結果、停止表示されている図柄は当たり図柄ではないと判定した場合にはステップＳ５４０−５に処理を移し、停止表示されている図柄は当たり図柄であると判定した場合にはステップＳ５４０−４に処理を移す。
【０２５１】
（ステップＳ５４０−４）
上記ステップＳ５４０−３において、停止表示されている図柄は当たり図柄であると判定した場合には、メインＣＰＵ１００ａは、普図普電処理において普通電動役物制御処理が実行されるように、普図普電データに「１３」をセットし、当該普通図柄停止後処理を終了する。
【０２５２】
（ステップＳ５４０−５）
一方、上記ステップＳ５４０−３において、停止表示されている図柄は当たり図柄ではない（ハズレ図柄である）と判定した場合には、メインＣＰＵ１００ａは、普図普電処理において普通図柄変動開始処理が実行されるように、普図普電データに「１０」をセットし、当該普通図柄停止後処理を終了する。
【０２５３】
図３５は、上記ステップＳ５５０の普通電動役物制御処理を説明するフローチャートである。
【０２５４】
（ステップＳ５５０−１）
まず、メインＣＰＵ１００ａは、普図普電データが、普通電動役物制御処理の実行を示すデータ「１３」であるか否かを判定する。その結果、普図普電データ＝１３と判定した場合にはステップＳ５５０−２に処理を移し、普図普電データ＝１３ではないと判定した場合には当該普通電動役物制御処理を終了する。
【０２５５】
（ステップＳ５５０−２）
上記ステップＳ５５０−１において、普図普電データ＝１３と判定した場合には、メインＣＰＵ１００ａは、普通電動役物が制御中であるか、すなわち、すでに始動口開閉ソレノイド２２ｃが通電制御中であるかを判定する。その結果、普通電動役物が制御中であると判定した場合には、ステップＳ５５０−５に処理を移し、普通電動役物は制御中ではないと判定した場合にはステップＳ５５０−３に処理を移す。
【０２５６】
（ステップＳ５５０−３）
上記ステップＳ５５０−２において、普通電動役物は制御中ではないと判定した場合には、メインＣＰＵ１００ａは、普通図柄の変動開始時の遊技状態が、非時短遊技状態または時短遊技状態のいずれであったかを判定する。
【０２５７】
（ステップＳ５５０−４）
次に、メインＣＰＵ１００ａは、始動口開閉ソレノイド２２ｃの通電制御を開始すべく、上記ステップＳ５５０−３において確認した遊技状態に応じて開放テーブルをセットする。これにより、普通図柄の変動開始時の遊技状態が非時短遊技状態であった場合には始動口開閉ソレノイド２２ｃの通電制御データとして、開放回数＝１回、１回の開放時間＝０．１秒となる通電制御データがセットされる。また、普通図柄の変動開始時の遊技状態が時短遊技状態であった場合には、開放回数＝２回、１回の開放時間＝２．９秒となる通電制御データがセットされる。
【０２５８】
（ステップＳ５５０−５）
また、上記ステップＳ５５０−２において、普通電動役物が制御中であると判定した場合には、メインＣＰＵ１００ａは、上記ステップＳ５５０−４でセットされた通電時間を経過したかを判定する。その結果、通電時間を経過したと判定した場合にはステップＳ５５０−６に処理を移し、通電時間は経過していないと判定した場合には当該普通電動役物制御処理を終了する。
【０２５９】
（ステップＳ５５０−６）
上記ステップＳ５５０−５において、通電時間が経過したと判定した場合には、メインＣＰＵ１００ａは、始動口開閉ソレノイド２２ｃの通電を停止する処理を行う。
【０２６０】
（ステップＳ５５０−７）
次に、メインＣＰＵ１００ａは、普図普電処理において普通図柄変動開始処理が実行されるように、普図普電データに「１０」をセットし、当該普通図柄停止後処理を終了する。
【０２６１】
以上のように、主制御基板１００において各種の処理が実行されることにより、特別図柄遊技および普通図柄遊技が進行することとなるが、こうした遊技の進行中には、主制御基板１００から送信されるコマンドに基づいて、副制御基板２００において、さまざまな演出を実行するための制御が行われる。
【０２６２】
本実施形態においては、副制御基板２００で制御される演出のうち、特別遊技のエンディング中に実行制御される選択演出の一例について説明する。
【０２６３】
図３６は、エンディング処理中に実行される選択演出の一例を説明する図である。本実施形態においては、非時短遊技状態において大当たりに当選した場合、特別遊技の終了後に設定される時短遊技状態の継続回数、すなわち、時短回数が、９回もしくは１８回に設定される（図１４参照）。このとき、９回もしくは１８回の大当たりの抽選が終了するまでの時短遊技状態中、演出表示部５０ａには、遊技者が選択したキャラクタが表示される。
【０２６４】
そして、全てのラウンド遊技が終了した後のエンディング処理中、演出表示部５０ａには、図３６（ａ）に示すように、その中央に配置された略四角形状の主表示領域４１ｘと、この主表示領域４１ｘの左側に上下方向に略等間隔で区分けされた第１表示領域４１ａ、第２表示領域４１ｂ、第３表示領域４１ｃと、主表示領域４１ｘの右側に上下方向に略等間隔で区分けされた第４表示領域４１ｄ、第５表示領域４１ｅ、第６表示領域４１ｆ（特別表示領域）とが分割表示される。これら各表示領域４１ａ〜４１ｆには、それぞれ異なるキャラクタが含まれる選択画像（以下、単に「キャラクタ」という）が表示され、遊技者による演出操作装置５６の操作によって、いずれか１のキャラクタを選択することができるようになっている。
【０２６５】
より詳細に説明すると、通常は、第１表示領域４１ａ〜第５表示領域４１ｅに、第１キャラクタ４２ａ〜第５キャラクタ４２ｅのいずれかが表示される。このとき、第６表示領域４１ｆには、第６キャラクタが含まれる特定画像（以下、単に「第６キャラクタ４２ｆ」という）が表示されるものの、第６表示領域４１ｆは、第１表示領域４１ａ〜第５表示領域４１ｅに比べて暗く表示（以下、「選択不可表示」という）される。
【０２６６】
そして、選択演出の開始時には、図３６（ａ）に示すように、第１表示領域４１ａが所定の明度で表示（以下、選択表示という）されるとともに、第２表示領域４１ｂ〜第５表示領域４１ｅが、第１表示領域４１ａよりも暗く表示（以下、「非選択表示」という）され、このとき、第１表示領域４１ａに表示されている第１キャラクタ４２ａに対応する画像が主表示領域４１ｘに表示される。この状態から、遊技者が演出操作装置５６を時計回り方向に回転操作すると、図３６（ｂ）に示すように、第２表示領域４１ｂが選択表示されるとともに、第２表示領域４１ｂに表示されている第２キャラクタ４２ｂに対応する画像が主表示領域４１ｘに表示される。このとき、第１表示領域４１ａは、第２表示領域４１ｂが選択表示に切り換わるのと同時に、非選択表示に切り換わる。
【０２６７】
このように、選択演出の実行中に遊技者が演出操作装置５６を時計回り方向に回転操作すると、第１表示領域４１ａ→第２表示領域４１ｂ→第３表示領域４１ｃ→第４表示領域４１ｄ→第５表示領域４１ｅの順に選択表示が切り換わり、当該選択表示された表示領域に対応する画像が主表示領域４１ｘに表示される。このとき、第６表示領域４１ｆは、選択不可表示されており、第５表示領域４１ｅが選択表示された状態で、さらに、演出操作装置５６が時計回り方向に回転操作されると、第６表示領域４１ｆが選択不可表示されたまま、再び、第１表示領域４１ａが選択表示されることとなる。
【０２６８】
なお、選択演出の実行中に遊技者が演出操作装置５６を反時計回り方向に回転操作した場合には、第１表示領域４１ａ→第５表示領域４１ｅ→第４表示領域４１ｄ→第３表示領域４１ｃ→第２表示領域４１ｂの順に選択表示が切り換わり、当該選択表示された表示領域に対応する画像が主表示領域４１ｘに表示される。
【０２６９】
このように、選択演出においては、遊技者による演出操作装置５６の回転操作に伴って、現在、選択中である表示領域（キャラクタ）が切り換わるとともに、当該選択中のキャラクタに対応する画像が主表示領域４１ｘに表示されることとなる。つまり、主表示領域４１ｘに表示される画像は、現在、遊技者が選択中のキャラクタを報知するものである。そして、遊技者が演出操作装置５６を押下操作すると、そのときに選択されているキャラクタが選択キャラクタとして確定される。ここで選択したキャラクタは、以後の９回もしくは１８回の大当たりの抽選が終了するまでの時短遊技状態中、演出表示部５０ａに表示され、図柄変動演出の進行状況によっては同演出の動的態様に加わることとなる。
【０２７０】
なお、遊技者がキャラクタを選択することができる時間、すなわち、演出操作装置５６の押下操作有効時間は、例えば、５〜１０秒程度に設定されており、この間に演出操作装置５６の押下操作が検出されなかった場合には、押下操作有効時間の経過時に選択されているキャラクタが、選択キャラクタとして確定されることとなる。
【０２７１】
また、本実施形態では、予め設定された特定条件が成立すると、上記の第１キャラクタ４２ａ〜第５キャラクタ４２ｅとは別に設けられた第６キャラクタ４２ｆを表示することが決定される。
【０２７２】
図３７は、第６キャラクタ表示決定テーブルを説明する図である。この図に示すように、第６キャラクタ表示決定テーブルは、図３７（ａ）に示す第６キャラクタ表示決定テーブル１、図３７（ｂ）に示す第６キャラクタ表示決定テーブル２、図３７（ｃ）に示す第６キャラクタ表示決定テーブル３の３つ設けられている。これら第６キャラクタ表示決定テーブル１〜３は、第６キャラクタ４２ｆの表示有無を決定するためのテーブルである。
【０２７３】
エンディングコマンドを受信すると、副制御基板２００では、０〜９９の範囲内から１の第１演出乱数を取得する。また、エンディングコマンドを受信すると、当該コマンドの受信時点で、特１保留または特２保留の中に、当該特別遊技の終了後に再開される特別図柄遊技において「大当たり」となる保留（以下、「特定保留」という）が記憶されているか否かの判定が行われる。そして、特定保留があると判定した場合には、第６キャラクタ表示決定テーブル１が選択される。また、特定保留がないと判定した場合には、当該特別遊技の終了後に高確率遊技状態に設定されるか否かの判定が行われ、高確率遊技状態に設定されると判定した場合には、第６キャラクタ表示決定テーブル２が選択される。なお、特定保留がなく、しかも、当該特別遊技の終了後に低確率遊技状態に設定されると判定した場合には、第６キャラクタ表示決定テーブル３が選択される。このようにして、第６キャラクタ表示決定テーブル１〜３のいずれかが選択されると、当該選択したテーブルと、取得した第１演出乱数とに基づいて、第６キャラクタ４２ｆを表示するか否かが決定される。
【０２７４】
例えば、第６キャラクタ表示決定テーブル１によれば、取得した第１演出乱数が０〜４９であれば第６キャラクタ４２ｆを表示すると決定され、取得した第１演出乱数が５０〜９９であれば第６キャラクタ４２ｆを表示しないと決定される。同様に、第６キャラクタ表示決定テーブル２によれば、取得した第１演出乱数が０〜２９であれば第６キャラクタ４２ｆを表示すると決定され、取得した第１演出乱数が３０〜９９であれば第６キャラクタ４２ｆを表示しないと決定される。また、第６キャラクタ表示決定テーブル３によれば、取得した第１演出乱数が０〜４であれば第６キャラクタ４２ｆを表示すると決定され、取得した第１演出乱数が５〜９９であれば第６キャラクタ４２ｆを表示しないと決定される。
【０２７５】
このことからも明らかなように、特定保留がある場合や、特定保留はないが特別遊技の終了後に高確率遊技状態に設定される場合には、第６キャラクタ４２ｆが表示される確率が高く設定されている。したがって、選択演出において、第６キャラクタ４２ｆが表示されることにより、特定保留の有無や、特別遊技の終了後の遊技状態が遊技者に示唆されることとなる。なお、ここでは、第６キャラクタ表示決定テーブル３においても、第６キャラクタ４２ｆの表示が決定されることとしたが、第６キャラクタ表示決定テーブル３を、第６キャラクタ４２ｆの表示が決定されないように比率設定してもよい。この場合には、第６キャラクタ４２ｆが表示された時点で、特定保留があるか、もしくは、特別遊技の終了後に高確率遊技状態に設定されることが確定することとなる。
【０２７６】
なお、本実施形態では、特定保留の有無および特別遊技の終了後の遊技状態に基づいて実行される抽選により、第６キャラクタ４２ｆを表示するという決定がなされたことを特定条件の成立としたが、特定条件はこれに限らない。いずれにしても、予め設定された特定条件が成立した場合に、第６キャラクタ４２ｆを表示することとすればよく、特定条件は適宜設定可能である。
【０２７７】
そして、上記のようにして第６キャラクタ４２ｆを表示することが決定されると、図３６（ｃ）に示すように、第６表示領域４１ｆが、他の表示領域と同様に、選択可能な表示領域となり、当該第６表示領域４１ｆに表示された第６キャラクタ４２ｆも、遊技者が選択可能となる。なお、図３６（ｃ）では、第１表示領域４１ａ〜第６表示領域４１ｆに、それぞれ第１キャラクタ４２ａ〜第６キャラクタ４２ｆが表示されている場合について説明したが、各キャラクタ４２ａ〜４２ｆの表示位置は固定的ではなく、各キャラクタの選択回数に応じて決定されるものである。
【０２７８】
図３８は、副制御基板２００のサブＲＡＭ２００ｃに設けられた選択回数記憶部を説明する図である。図３８（ａ）に示すように、選択回数記憶部は、第１キャラクタ４２ａ〜第６キャラクタ４２ｆが選択された回数である選択回数を、これら第１キャラクタ４２ａ〜第６キャラクタ４２ｆごとに、かつ、予め設定された集計期間（１日）ごとに集計して記憶するものである。ここでは、複数（本実施形態では１日前〜７日前の７日分）の集計期間の選択回数が保持されており、これに加えて、当日分の選択回数も、第１キャラクタ４２ａ〜第６キャラクタ４２ｆごとに記憶されるように構成されている。
【０２７９】
また、図３８（ｂ）に示すように、選択回数記憶部には、第１キャラクタ４２ａ〜第６キャラクタ４２ｆごとに、複数の集計期間（７日分）における選択回数を合計した合計数が記憶される。そして、ここで記憶された第１キャラクタ４２ａ〜第６キャラクタ４２ｆごとの選択回数の合計数に基づいて、第１キャラクタ４２ａ〜第６キャラクタ４２ｆの表示位置が、第１表示領域４１ａ〜第６表示領域４１ｆの中からいずれかに決定されることとなる。
【０２８０】
具体的には、第６キャラクタ４２ｆを表示すると決定された場合には、第１キャラクタ４２ａ〜第６キャラクタ４２ｆにおいて、選択回数の合計数が多い順に、第１表示領域４１ａ〜第６表示領域４１ｆの順に、排他的に表示位置が決定される。また、第６キャラクタ４２ｆを表示しないと決定された場合には、第１キャラクタ４２ａ〜第５キャラクタ４２ｅにおいて、選択回数の合計数が多い順に、第１表示領域４１ａ〜第５表示領域４１ｅの順に、排他的に表示位置が決定される。したがって、例えば、図３８（ｂ）に示す例では、過去７日間の選択回数の合計が最も多かった第２キャラクタ４２ｂが、第１表示領域４１ａに表示され、過去７日間の選択回数の合計が最も少なかった第４キャラクタ４２ｄが第６表示領域４１ｆ（第５表示領域４１ｅ）に表示されることとなる。
【０２８１】
なお、複数のキャラクタにおいて、選択回数が同一であった場合には、図３８（ａ）に示す優先順位に従って表示位置が決定される。ここでは、第６キャラクタ４２ｆの優先順位が最も高く、以下、第１キャラクタ４２ａ→第２キャラクタ４２ｂ→第３キャラクタ４２ｃ→第４キャラクタ４２ｄ→第５キャラクタ４２ｅの順で、優先順位が徐々に低くなっていく。したがって、図３８（ｂ）に示す例では、第１キャラクタ４２ａの選択回数と、第６キャラクタ４２ｆの選択回数とが同一であるため、相対的に優先順位の高い第６キャラクタ４２ｆが第２表示領域４１ｂに表示され、相対的に優先順位の低い第１キャラクタ４２ａが第３表示領域４２ｃに表示されることとなる。
【０２８２】
また、本実施形態では、１の集計期間（当日）における全キャラクタ４２ａ〜４２ｆの選択回数を合算した合算選択回数（１日の総選択回数）が、予め設定された有効回数（本実施形態では５回とする）以上である場合に、当日に該当する集計期間が有効集計期間として扱われる。
【０２８３】
詳しくは後述するが、本実施形態では、電源投入時に日付が変更されたか否かを判定し、日付が変更されていれば、当日の合算選択回数（ここでいう当日とは、前日において「当日」の記憶領域で更新された合算選択回数）が５以上であるか否かを判定する。そして、当日の合算選択回数が５以上であれば、選択回数記憶部に記憶されている最も古い集計期間の選択回数データを消去し、当日の選択回数を１日前の選択回数として選択回数記憶部に記憶する。一方、当日の合算選択回数が５未満であれば、選択回数記憶部に記憶されている選択回数データをそのまま保持するとともに、当日の選択回数データを消去する。
【０２８４】
このように、１集計期間（１日）当たりの合算選択回数が有効回数以上であれば、当該集計期間を有効集計期間とし、当該有効集計期間における各キャラクタの選択回数を、選択情報記憶部に記憶することとなる。このことからも明らかなように、１集計期間（１日）当たりの合算選択回数が少ない場合には、当該集計期間における選択回数が、各キャラクタの表示位置の決定に際して考慮されないこととなる。これにより、合算選択回数の少ない集計期間が連続したとしても、極めて少ないデータに基づいて各キャラクタの表示位置が決定されてしまうことがなく、常に、一定量以上のデータに基づいて各キャラクタの表示位置を決定することが可能となる。
【０２８５】
なお、ここでは、全キャラクタ４２ａ〜４２ｆの選択回数を合算した合算選択回数（１日の総選択回数）が有効回数以上である場合に、当日に該当する集計期間が有効集計期間として扱われることとした。しかしながら、例えば、予め設定されたキャラクタ（例えば、第１キャラクタ４２ａ〜第３キャラクタ４２ｃ）の選択回数を合算した１集計期間当たりの合算選択回数が有効回数以上である場合に、当該集計期間を有効集計期間として取り扱うこととしてもよい。
【０２８６】
以上のように、第１キャラクタ４２ａ〜第６キャラクタ４２ｆごとに、かつ、予め設定された集計期間ごとに選択回数が集計され、複数の有効集計期間におけるキャラクタごとの選択回数の合計数に基づいて表示位置が決定される。これにより、遊技者は、キャラクタを選択する権利というよりも、恰も人気投票の権利が与えられたかのような印象を受けることとなる。したがって、何度もキャラクタを選択している遊技者にとっても、キャラクタを選択することについての意欲が向上し、長期にわたって演出効果を向上することができる。
【０２８７】
以下に、上記の選択演出を実行するための副制御基板２００における制御処理について説明する。
【０２８８】
（副制御基板２００のメイン処理）
図３９は、副制御基板２００のメイン処理を説明するフローチャートである。
【０２８９】
（ステップＳ１０００）
サブＣＰＵ２００ａは、電源投入に応じて、サブＲＯＭ２００ｂからメイン処理プログラムを読み込むとともに、サブＲＡＭ２００ｃに記憶されるフラグ等の初期化、設定処理を行う。
【０２９０】
（ステップＳ１０１０）
次に、サブＣＰＵ２００ａは、選択回数記憶部更新処理を実行する。この選択回数記憶部更新処理については、図４０を用いて後述する。
【０２９１】
（ステップＳ１０２０）
次に、サブＣＰＵ２００ａは、各演出内容を決定するための乱数を更新する処理を行うとともに、以後は、割込み処理が行われるまで当該ステップＳ１０２０の処理を繰り返し行う。
【０２９２】
図４０は、上記ステップＳ１０１０の選択回数記憶部更新処理を説明するフローチャートである。
【０２９３】
（ステップＳ１０１０−１）
まず、サブＣＰＵ２００ａは、初期化スイッチ信号が入力されているかを判定する。その結果、初期化スイッチ信号が入力されていると判定した場合にはステップＳ１０１０−２に処理を移し、初期化スイッチ信号は入力されていないと判定した場合にはステップＳ１０１０−４に処理を移す。
【０２９４】
（ステップＳ１０１０−２）
上記ステップＳ１０１０−１において、初期化スイッチ信号が入力されていると判定した場合には、サブＣＰＵ２００ａは、選択回数記憶部に記憶されている履歴データ（選択回数データ）を初期化する。
【０２９５】
（ステップＳ１０１０−３）
次に、サブＣＰＵ２００ａは、初期データをセットし、当該選択回数記憶部更新処理を終了する。なお、この初期データは、例えば、選択回数記憶部に、キャラクタごとに、あるいは、集計期間ごとに選択回数を記憶するためのデータである。
【０２９６】
（ステップＳ１０１０−４）
一方、上記ステップＳ１０１０−１において、初期化スイッチ信号は入力されていないと判定した場合には、サブＣＰＵ２００ａは、ＲＴＣ２００ｄで計時される日付が変更されたか否かを判定する。その結果、日付が変更されたと判定した場合にはステップＳ１０１０−５に処理を移し、日付は変更されていないと判定した場合には当該選択回数記憶部更新処理を終了する。なお、日付の変更は、ＲＴＣ２００ｄを読み込む度に、その値をサブＲＡＭ２００ｃに記憶しておき、前回記憶した値と、今回読み込んだ値とを比較することで判定している。
【０２９７】
（ステップＳ１０１０−５）
上記ステップＳ１０１０−４において、日付が変更されたと判定した場合には、サブＣＰＵ２００ａは、選択回数記憶部に記憶されている当日の合算選択回数（図３８（ａ）参照）が、有効回数以上であるかを判定する。その結果、当日の合算選択回数が有効回数以上であると判定した場合にはステップＳ１０１０−６に処理を移し、当日の合算選択回数は有効回数以上ではないと判定した場合にはステップＳ１０１０−７に処理を移す。
【０２９８】
（ステップＳ１０１０−６）
上記ステップＳ１０１０−５において、当日の合算選択回数が有効回数以上であると判定した場合には、サブＣＰＵ２００ａは、選択回数記憶部に記憶されている履歴データ（選択回数データ）を更新する。具体的には、選択回数記憶部に記憶されている最も古い集計期間（７日前）に係る記憶領域に記憶されている選択回数を消去するとともに、１日前〜６日前の各集計期間に係る記憶領域に記憶されている選択回数を、２日前〜７日前当日の記憶領域にシフトする。また、当日の記憶領域に記憶されている各キャラクタの選択回数を、１日前の記憶領域に記憶するとともに、このとき、当日の記憶領域に記憶されていた各キャラクタの選択回数を消去する。さらに、ここでは、１日前〜７日前の集計期間の選択回数をキャラクタごとに積算し、当該積算値を合計数として選択情報記憶部に記憶する。
【０２９９】
（ステップＳ１０１０−７）
一方、上記ステップＳ１０１０−５において、当日の合算選択回数は有効回数以上ではないと判定した場合には、サブＣＰＵ２００ａは、当日の記憶領域に記憶されている各キャラクタの選択回数を消去し、当該選択回数記憶部更新処理を終了する。
【０３００】
（副制御基板２００のタイマ割込処理）
図４１は、副制御基板２００のタイマ割込処理を説明するフローチャートである。副制御基板２００には、所定の周期（４ｍｓ）でクロックパルスを発生するリセット用クロックパルス発生回路（不図示）が設けられている。そして、このリセット用クロックパルス発生回路によるクロックパルスの発生により、サブＣＰＵ２００ａはタイマ割込処理プログラムを読み込んで当該タイマ割込処理を開始する。
【０３０１】
（ステップＳ１１００）
まず、サブＣＰＵ２００ａは、副制御基板２００で用いられる各種タイマカウンタの更新処理を行う。具体的には、サブＣＰＵ２００ａは、各処理においてセットされたタイマカウンタのカウンタ値を減算する処理を行うこととなる。
【０３０２】
（ステップＳ１２００）
次に、サブＣＰＵ２００ａは、サブＲＡＭ２００ｃの受信バッファに格納されているコマンドを解析するとともに、受信したコマンドに応じた種々の処理を行う。副制御基板２００においては、主制御基板１００からコマンドが送信されると、コマンド受信割込処理が行われ、主制御基板１００から送信されたコマンドが受信バッファに格納される。ここでは、コマンド受信割込処理によって受信バッファに格納されたコマンドを解析し、コマンドの解析結果に応じた処理を実行することとなる。
【０３０３】
（ステップＳ１３００）
次に、サブＣＰＵ２００ａは、実行中の演出進行状況に応じて、演出操作装置５６の操作の受け付け可否を判定するとともに、演出操作装置検出スイッチ５６ａの信号のチェックを行う。そして、演出操作装置検出スイッチ５６ａから操作信号が入力されたときに、演出操作装置５６の操作受け付け中であった場合には、演出操作装置５６が操作されたことを画像制御基板２１０に送信すべく、送信バッファにコマンドを格納する。
【０３０４】
（ステップＳ１４００）
次に、サブＣＰＵ２００ａは、サブＲＡＭ２００ｃの送信バッファにセットされているコマンドを画像制御基板２１０や電飾制御基板２２０へ送信し、タイマ割込処理を終了する。
【０３０５】
図４２は、上記コマンド解析処理のうち、事前判定コマンドを受信した場合に実行される事前判定コマンド受信処理を説明するフローチャートである。上記したとおり、この事前判定コマンドは、主制御基板１００において、事前判定処理のステップＳ３３１−４、ステップＳ３３１−８、ステップＳ３３１−９（図２１参照）でセットされた後、ステップＳ８００の出力制御処理（図１８参照）によって副制御基板２００に送信される。
【０３０６】
（ステップＳ１２１０）
事前判定コマンドを受信すると、サブＣＰＵ２００ａは、受信した事前判定コマンドを解析するとともに、当該受信した事前判定コマンドに対応するデータ（事前判定情報）を、サブＲＡＭ２００ｃに設けられた事前判定情報記憶部に記憶する。なお、この事前判定情報記憶部は、主制御基板１００のメインＲＡＭ１００ｃに設けられた保留記憶領域と同様に、第１記憶部〜第８記憶部を有している。この事前判定情報記憶部の第１記憶部〜第８記憶部は、主制御基板１００における保留記憶領域の第１記憶部〜第８記憶部に対応しており、例えば、主制御基板１００において保留記憶領域の第３記憶部に保留が記憶された場合には、当該保留に係る事前判定情報が、副制御基板２００において事前判定情報記憶部の第３記憶部に記憶されることとなる。
【０３０７】
また、上記したように、事前判定コマンドは、低確率遊技状態および高確率遊技状態のいずれにおいても大当たりに当選する保留について送信される事前判定コマンド１、高確率遊技状態においてのみ大当たりに当選する保留について送信される事前判定コマンド２、いずれの遊技状態においてもハズレとなる保留について送信される事前判定コマンド３の３種類設けられている。ここでは、受信した事前判定コマンドの種別に応じたデータが事前判定情報記憶部に記憶されることとなる。
【０３０８】
図４３は、上記コマンド解析処理のうち、図柄決定コマンドを受信した場合に実行される図柄決定コマンド受信処理を説明するフローチャートである。上記したとおり、この図柄決定コマンドは、主制御基板１００において、特別図柄変動開始処理のステップＳ４２０−４（図２５参照）でセットされた後、ステップＳ８００の出力制御処理（図１８参照）によって副制御基板２００に送信される。
【０３０９】
（ステップＳ１２２０）
図柄決定コマンドを受信すると、サブＣＰＵ２００ａは、受信した図柄決定コマンドを解析するとともに、主制御基板１００において決定された特別図柄の種別である図柄情報を、サブＲＡＭ２００ｃの所定の領域に記憶する。これにより、主制御基板１００において決定され、今まさに変動を開始しようとする特別図柄の種別が、副制御基板２００で把握されることとなる。
【０３１０】
図４４は、上記コマンド解析処理のうち、大当たり当選時遊技状態コマンドを受信した場合に実行される大当たり当選時遊技状態コマンド受信処理を説明するフローチャートである。上記したとおり、この大当たり当選時遊技状態コマンドは、主制御基板１００において、停止後処理のステップＳ４４０−７（図２８参照）でセットされた後、ステップＳ８００の出力制御処理（図１８参照）によって副制御基板２００に送信される。
【０３１１】
（ステップＳ１２３０）
大当たり当選時遊技状態コマンドを受信すると、サブＣＰＵ２００ａは、受信した大当たり当選時遊技状態コマンドを解析するとともに、当該解析結果に応じたデータを、サブＲＡＭ２００ｃの所定の領域に記憶する。これにより、大当たり当選時の遊技状態が副制御基板２００で把握されることとなる。
【０３１２】
図４５は、上記コマンド解析処理のうち、エンディングコマンドを受信した場合に実行されるエンディングコマンド受信処理を説明するフローチャートである。上記したとおり、このエンディングコマンドは、主制御基板１００において、特別電動役物制御処理のステップＳ４５０−５（図２９参照）でセットされた後、ステップＳ８００の出力制御処理（図１８参照）によって副制御基板２００に送信される。
【０３１３】
（ステップＳ１２５０−１）
エンディングコマンドを受信すると、サブＣＰＵ２００ａは、大当たり当選時の遊技状態が時短遊技状態であるかを判定する。その結果、大当たり当選時の遊技状態が時短遊技状態であると判定した場合にはステップＳ１２５０−２に処理を移し、大当たり当選時の遊技状態は時短遊技状態ではないと判定した場合にはステップＳ１２５０−３に処理を移す。
【０３１４】
（ステップＳ１２５０−２）
上記ステップＳ１２５０−１において、大当たり当選時の遊技状態が時短遊技状態であると判定した場合には、サブＣＰＵ２００ａは、連荘用エンディング演出実行データをセットする。
【０３１５】
（ステップＳ１２５０−３）
一方、上記ステップＳ１２５０−１において、大当たり当選時の遊技状態は時短遊技状態ではないと判定した場合には、サブＣＰＵ２００ａは、上記ステップＳ１２２０で記憶された図柄情報、および、上記ステップＳ１２１０で記憶された事前判定情報をロードする。
【０３１６】
（ステップＳ１２５０−４）
次に、サブＣＰＵ２００ａは、上記ステップＳ１２５０−３でロードした図柄情報および事前判定情報に基づいて、現在記憶されている保留の中に、特定保留があるか否かを検索する特定保留検索処理を実行する。
【０３１７】
具体的には、図柄情報、すなわち、特別遊技の実行契機となった大当たり図柄に基づいて、特別遊技の終了後の遊技状態を判定する。そして、特別遊技の終了後に低確率遊技状態に設定されると判定した場合には、事前判定情報の中から、低確率遊技状態および高確率遊技状態のいずれの遊技状態でも大当たりに当選することを示す事前判定コマンド１に対応するデータを検索する。また、特別遊技の終了後に高確率遊技状態に設定されると判定した場合には、事前判定情報の中から、上記の事前判定コマンド１に対応するデータ、もしくは、高確率遊技状態であれば大当たりに当選することを示す事前判定コマンド２に対応するデータを検索する。つまり、この特定保留検索処理では、特別遊技の終了後の遊技状態を考慮したうえで、当該特別遊技の終了後に大当たりに当選する特定保留を、現在記憶されている保留の中から検索することとなる。
【０３１８】
（ステップＳ１２５０−５）
次に、サブＣＰＵ２００ａは、上記ステップＳ１２５０−４における特定保留検索処理の結果、特定保留が記憶されているかを判定する。その結果、特定保留が記憶されていると判定した場合にはステップＳ１２５０−６に処理を移し、特定保留は記憶されていないと判定した場合にはステップＳ１２５０−７に処理を移す。
【０３１９】
（ステップＳ１２５０−６）
上記ステップＳ１２５０−５において、特定保留が記憶されていると判定した場合には、サブＣＰＵ２００ａは、第６キャラクタ表示決定テーブル１（図３７（ａ）参照）をセットする。
【０３２０】
（ステップＳ１２５０−７）
一方、上記ステップＳ１２５０−５において、特定保留は記憶されていないと判定した場合には、サブＣＰＵ２００ａは、上記ステップＳ１２５０−３でロードした図柄情報に基づき、特別遊技終了後の遊技状態が高確率遊技状態に設定されるか否かを判定する。その結果、特別遊技終了後の遊技状態が高確率遊技状態に設定されると判定した場合にはステップＳ１２５０−８に処理を移し、特別遊技終了後の遊技状態は高確率遊技状態に設定されないと判定した場合にはステップＳ１２５０−９に処理を移す。
【０３２１】
（ステップＳ１２５０−８）
上記ステップＳ１２５０−７において、特別遊技終了後の遊技状態が高確率遊技状態に設定されると判定した場合には、サブＣＰＵ２００ａは、第６キャラクタ表示決定テーブル２（図３７（ｂ）参照）をセットする。
【０３２２】
（ステップＳ１２５０−９）
一方、上記ステップＳ１２５０−７において、特別遊技終了後の遊技状態は高確率遊技状態に設定されないと判定した場合には、サブＣＰＵ２００ａは、第６キャラクタ表示決定テーブル３（図３７（ｃ）参照）をセットする。
【０３２３】
（ステップＳ１２５０−１０）
上記ステップＳ１２５０−６、ステップＳ１２５０−８、ステップＳ１２５０−９において、第６キャラクタ表示決定テーブル１〜３のいずれかがセットされると、次に、サブＣＰＵ２００ａは、第６キャラクタ表示決定処理を行う。ここでは、０〜９９の範囲から１の第１演出乱数を取得するとともに、当該取得した第１演出乱数と、上記セットされた第６キャラクタ表示決定テーブル１〜３とに基づいて、第６キャラクタ４２ｆを表示するか否かを決定する。
【０３２４】
（ステップＳ１２５１）
次に、サブＣＰＵ２００ａは、キャラクタ表示位置決定処理を実行してエンディングコマンド受信処理を終了する。このキャラクタ表示位置決定処理について、図４６を用いて説明する。
【０３２５】
図４６は、キャラクタ表示位置決定処理を説明するフローチャートである。
【０３２６】
（ステップＳ１２５１−１）
サブＣＰＵ２００ａは、上記ステップＳ１２５０−１０において、第６キャラクタ４２ｆを表示すると決定されたか否かを判定する。その結果、第６キャラクタ４２ｆを表示すると決定された場合にはステップＳ１２５１−２に処理を移し、第６キャラクタ４２ｆを表示すると決定されなかった場合にはステップＳ１２５１−３に処理を移す。
【０３２７】
（ステップＳ１２５１−２）
上記ステップＳ１２５１−１において、第６キャラクタ４２ｆを表示すると判定された場合には、サブＣＰＵ２００ａは、選択回数記憶部に記憶された第１キャラクタ４２ａ〜第６キャラクタ４２ｆごとの選択回数の合計数および優先順位に基づいて、各キャラクタの表示位置を、第１表示領域４１ａ〜第６表示領域４１ｆのいずれかに決定する。
【０３２８】
（ステップＳ１２５１−３）
一方、上記ステップＳ１２５１−１において、第６キャラクタ４２ｆを表示すると判定されなかった場合には、サブＣＰＵ２００ａは、選択回数記憶部に記憶された第１キャラクタ４２ａ〜第５キャラクタ４２ｅごとの選択回数の合計数および優先順位に基づいて、各キャラクタの表示位置を、第１表示領域４１ａ〜第５表示領域４１ｅのいずれかに決定する。
【０３２９】
（ステップＳ１２５１−４）
次に、サブＣＰＵ２００ａは、上記ステップＳ１２５１−２またはステップＳ１２５１−３で決定された表示位置に各キャラクタを表示するための表示データをセットする。これにより、演出表示部５０ａに、図３６に示すような選択演出画像が表示されることとなる。
【０３３０】
（ステップＳ１２５１−５）
次に、サブＣＰＵ２００ａは、キャラクタ選択受付フラグをオンする。このキャラクタ選択受付フラグは、演出操作装置５６の押下操作を受け付け可能な状態であることを示すものである。
【０３３１】
（ステップＳ１２５１−６）
次に、サブＣＰＵ２００ａは、演出操作装置５６の操作有効時間をタイマカウンタにセットし、当該キャラクタ表示位置決定処理を終了する。なお、ここで操作有効時間がセットされたタイマカウンタのカウンタ値は、上記ステップＳ１１００で４ｍｓごとに減算されることとなる。
【０３３２】
図４７は、上記ステップＳ１３００の演出操作装置制御処理を説明するフローチャートである。
【０３３３】
（ステップＳ１３００−１）
まず、サブＣＰＵ２００ａは、エンディングコマンドの受信時において、上記ステップＳ１２５１−６でセットされた操作有効時間が経過したか否かを判定する。その結果、操作有効時間が経過したと判定した場合にはステップＳ１３００−２に処理を移し、操作有効時間は経過していないと判定した場合にはステップＳ１３００−５に処理を移す。
【０３３４】
（ステップＳ１３００−２）
上記ステップＳ１３００−１において、操作有効時間が経過したと判定した場合には、サブＣＰＵ２００ａは、第１キャラクタ４２ａ〜第６キャラクタ４２ｆの中で、現在、選択表示されているキャラクタを選択キャラクタとして確定する。ここで選択キャラクタを確定すると、サブＣＰＵ２００ａは、特別遊技の終了後の特別図柄遊技において、当該確定したキャラクタに対応する演出（例えば、演出表示部５０ａに表示する画像や、音声出力装置５８から出力される音声）を実行するために必要な種々の処理を行うこととなる。
【０３３５】
（ステップＳ１３００−３）
次に、サブＣＰＵ２００ａは、選択回数記憶部の当日に対応するとともに、上記ステップＳ１３００−２で確定した選択キャラクタに対応する記憶領域に記憶された選択回数に「１」加算した値を新たな選択回数として記憶する。
【０３３６】
（ステップＳ１３００−４）
次に、サブＣＰＵ２００ａは、キャラクタ選択受付フラグをオフし、当該演出操作装置制御処理を終了する。
【０３３７】
（ステップＳ１３００−５）
一方、上記ステップＳ１３００−１において、操作有効時間は経過していないと判定した場合には、サブＣＰＵ２００ａは、演出操作装置検出スイッチ信号が入力されたか否かを判定する。その結果、演出操作装置検出スイッチ信号が入力されたと判定した場合にはステップＳ１３００−６に処理を移し、演出操作装置検出スイッチ信号は入力されていないと判定した場合には当該演出操作装置制御処理を終了する。
【０３３８】
（ステップＳ１３００−６）
上記ステップＳ１３００−５において、演出操作装置検出スイッチ信号が入力されたと判定した場合には、サブＣＰＵ２００ａは、キャラクタ選択受付フラグがオンしているか否かを判定する。その結果、キャラクタ選択受付フラグがオンしていると判定した場合にはステップＳ１３００−８に処理を移し、キャラクタ選択受付フラグはオンしていないと判定した場合にはステップＳ１３００−７に処理を移す。
【０３３９】
（ステップＳ１３００−７）
上記ステップＳ１３００−６において、キャラクタ選択受付フラグはオンしていないと判定した場合には、サブＣＰＵ２００ａは、選択演出以外の演出に係る種々の処理を実行し、当該演出操作装置制御処理を終了する。
【０３４０】
（ステップＳ１３００−８）
一方、上記ステップＳ１３００−６において、キャラクタ選択受付フラグがオンしていると判定した場合には、サブＣＰＵ２００ａは、入力された検出スイッチ信号が、演出操作装置５６の押下操作を検出した際に送信される押下操作検出信号であるか否かを判定する。その結果、入力された検出スイッチ信号が押下操作検出信号であると判定した場合には、上記ステップＳ１３００−９に処理を移し、入力された検出スイッチ信号は押下操作検出信号ではない（演出操作装置５６の回転操作を検出した際に送信される回転操作検出信号である）と判定した場合には、ステップＳ１３００−１０に処理を移す。
【０３４１】
（ステップＳ１３００−９）
上記ステップＳ１３００−８において、入力された検出スイッチ信号が押下操作検出信号であると判定した場合には、サブＣＰＵ２００ａは、タイマカウンタ（操作有効時間）をリセットし、上記ステップＳ１３００−２に処理を移す。
【０３４２】
（ステップＳ１３００−１０）
一方、上記ステップＳ１３００−８において、入力された検出スイッチ信号は押下操作検出信号ではない（回転操作検出信号である）と判定した場合には、サブＣＰＵ２００ａは、各表示領域４１ａ〜４１ｆにおける選択表示および非選択表示の切り換え、すなわち、主表示領域４１ｘに表示する画像の切り換えを行い、当該演出操作装置制御処理を終了する。
【０３４３】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０３４４】
例えば、上記実施形態においては、遊技の進行を制御する主制御基板１００と、主制御基板１００から送信されるコマンドに基づいて演出を実行制御する副制御基板２００とにおいて、上記のとおりに協働することで変動演出が実行されることとした。しかしながら、主制御基板１００および副制御基板２００において、上記の各機能をどのように分担するかは適宜設計することが可能である。
【０３４５】
また、上記実施形態では、特別遊技のエンディング中に選択演出が実行され、当該選択演出において選択されたキャラクタに対応する演出を、特別遊技の終了後に設定される９回もしくは１８回の特別図柄遊技中に実行することとした。しかしながら、選択演出が実行されるタイミングや、選択されたキャラクタに対応する演出の実行タイミングおよび演出の対象はこれに限らない。例えば、大当たりの抽選結果を報知する変動演出中に選択演出を行い、選択演出中に選択されたキャラクタに対応する演出を、当該変動演出中に実行することとしてもよい。いずれにしても、遊技進行中もしくはデモ中等の遊技の待機中に選択演出を実行することとし、当該選択演出中に選択されたキャラクタに対応する演出を、いずれかのタイミングで実行するものであれば、本発明を広く適用することが可能である。
【０３４６】
また、上記実施形態では、各表示領域４１ａ〜４１ｆにキャラクタが表示されることとしたが、各表示領域４１ａ〜４１ｆに表示する画像（選択画像もしくは特定画像）は、キャラクタに限らない。いずれにしても、予め設定されている画像が表示され、当該画像が選択されたときに、当該選択された画像に対応する演出が、以後に実行されるものであれば、画像の具体的内容は特に限定されるものではない。
【０３４７】
また、上記実施形態では、選択回数と優先順位とに基づいてのみ、各キャラクタの表示位置が決定されることとしたが、各キャラクタの表示位置の決定に際して、少なくとも選択回数が考慮されていればよく、これに加えて、さらに他の要素を考慮することを妨げるものではない。例えば、同じキャラクタが連続して所定回数選択された場合に、選択回数とは無関係に、当該キャラクタの表示位置を所定の位置に決定することも可能である。
【０３４８】
このとき、所定回数連続して選択されたキャラクタが、最も選択回数の多いキャラクタが表示される最上位の表示領域に既に表示されている場合には、当該キャラクタの表示態様（表示色や服装等）を変更するような処理を行ってもよい。この場合、所定回数連続して選択されたキャラクタから、他のキャラクタに選択が変更されたことに基づいて、通常どおりに各キャラクタの表示位置を決定するとよい。
【０３４９】
また、例えば、複数の表示領域のそれぞれに、付加価値の序列（高低）を対応付けておき、相対的に選択回数の多い選択画像を、相対的に付加価値の序列が高い表示領域に配置するように表示位置を決定することで、遊技者に対する競争意識や、選択画像（キャラクタ等）へのサポート意識を向上させることも考えられる。ここで、付加価値の序列は、以下のいずれか、もしくは、その組み合わせによって設定されるものである。
【０３５０】
すなわち、第１の設定方法は、演出表示部５０ａにおいて、上から下へと複数の表示領域が配列されている場合に、上方に配置されるほど付加価値を高くする。第２の設定方法は、演出表示部５０ａにおいて、複数の表示領域の面積が異なる場合には、面積が大きくなるほど付加価値を高くする。第３の設定方法は、複数の表示領域の背景色が異なる場合には、金色や赤色などの一般的に高揚感を高める作用が高い背景色の表示領域ほど付加価値を高くする。第４の設定方法は、各表示領域に１番〜Ｎ番等の記号表示を付し、記号から連想される意味合いに応じて付加価値を異ならせる。
【０３５１】
そして、同じ選択画像（キャラクタ）であっても、表示される表示領域に応じて、その表示態様を変更させるとよい。例えば、付加価値の高い表示領域にキャラクタが表示される場合には、付加価値の低い表示領域に同一のキャラクタが表示される場合に比べて、豪華な衣装を纏った画像を表示させることで、表示位置に応じた優劣をつける。また、同一の選択画像であっても、表示位置に応じて、出力される音声態様を変更することとしてもよい。例えば、付加価値の高い表示領域に選択画像が表示された場合には、喜びの台詞を出力し、付加価値の低い表示領域に移行するにつれて、不機嫌な台詞を出力することで、出力音声に優劣をつけてもよい。
【０３５２】
なお、選択画像の選択回数を計数するにあたり、前回選択された選択画像と異なる選択画像が選択された場合には、当該選択画像の選択回数を「１」加算し、同一の選択画像が所定回数連続して選択された場合には、「１」よりも多い所定回数を計数することで、同一の選択画像を選択し続けることの優位性を向上することとしてもよい。
【０３５３】
さらに、例えば、遊技の待機状態、すなわち、デモ画面の表示時等、他の演出処理の実行タイミングにおいて、選択画像の表示位置情報や選択回数等に基づいて、通常とは異なる画像を演出表示部５０ａに表示することとしてもよい。具体的には、デモ演出時に、選択回数が多い選択画像（キャラクタ）から順番に、当該選択画像（キャラクタ）の紹介を表示させたり、選択回数に応じて選択画像（キャラクタ）の表示面積を変更した集合画像を表示するといった具合に、選択回数（人気）の高い選択画像（キャラクタ）に対する優先表示をしたりすることも可能である。
【０３５４】
なお、上記実施形態において、図４７のステップＳ１３００−３の処理を実行するサブＣＰＵ２００ａが本発明の選択回数集計手段に相当する。ここで、上記実施形態においては、１日を１の集計期間としたが、これは一例に過ぎない。したがって、１の集計期間は１日に限らず、例えば、複数日であってもよいし、数時間（数分）であってもよい。
【０３５５】
また、上記実施形態において、図４６のステップＳ１２５１−２およびステップＳ１２５１−３の処理を実行するサブＣＰＵ２００ａが本発明の表示位置決定手段に相当する。
また、上記実施形態において、図４６のステップＳ１２５１−４の処理を実行するサブＣＰＵ２００ａが本発明の画像表示手段に相当する。
【０３５６】
また、上記実施形態において、図４５のステップＳ１２５０−３〜ステップＳ１２５０−１０の処理を実行するサブＣＰＵ２００ａが、本発明の特定画像表示決定手段に相当する。なお、上記実施形態では、特定条件が成立しなかった場合に、選択画像（第１キャラクタ４２ａ〜第５キャラクタ４２ｅ）が表示され、特定条件が成立すると、選択画像（第１キャラクタ４２ａ〜第５キャラクタ４２ｅ）に加えて特定画像（第６キャラクタ４２ｆ）が表示されることとした。しかしながら、特定画像（第６キャラクタ４２ｆ）の表示は必須ではなく、常に、一定の選択画像のみが表示されることとしてもよい。
【符号の説明】
【０３５７】
４１ａ  第１表示領域
４１ｂ  第２表示領域
４１ｃ  第３表示領域
４１ｄ  第４表示領域
４１ｅ  第５表示領域
４１ｆ  第６表示領域（特別表示領域）
４２ａ  第１キャラクタ（選択画像）
４２ｂ  第２キャラクタ（選択画像）
４２ｃ  第３キャラクタ（選択画像）
４２ｄ  第４キャラクタ（選択画像）
４２ｅ  第５キャラクタ（選択画像）
４２ｆ  第６キャラクタ（特定画像）
５０ａ  演出表示部（画像表示部）
５６  演出操作装置（演出操作部）
１００  主制御基板
１００ａ  メインＣＰＵ
１００ｂ  メインＲＯＭ
１００ｃ  メインＲＡＭ
２００  副制御基板
２００ａ  サブＣＰＵ
２００ｂ  サブＲＯＭ
２００ｃ  サブＲＡＭ
【図１】
0005833471.tif 000002
【図２】
0005833471.tif 000003
【図３】
0005833471.tif 000004
【図４】
0005833471.tif 000005
【図５】
0005833471.tif 000006
【図６】
0005833471.tif 000007
【図７】
0005833471.tif 000008
【図８】
0005833471.tif 000009
【図９】
0005833471.tif 000010
【図１０】
0005833471.tif 000011
【図１１】
0005833471.tif 000012
【図１２】
0005833471.tif 000013
【図１３】
0005833471.tif 000014
【図１４】
0005833471.tif 000015
【図１５】
0005833471.tif 000016
【図１６】
0005833471.tif 000017
【図１７】
0005833471.tif 000018
【図１８】
0005833471.tif 000019
【図１９】
0005833471.tif 000020
【図２０】
0005833471.tif 000021
【図２１】
0005833471.tif 000022
【図２２】
0005833471.tif 000023
【図２３】
0005833471.tif 000024
【図２４】
0005833471.tif 000025
【図２５】
0005833471.tif 000026
【図２６】
0005833471.tif 000027
【図２７】
0005833471.tif 000028
【図２８】
0005833471.tif 000029
【図２９】
0005833471.tif 000030
【図３０】
0005833471.tif 000031
【図３１】
0005833471.tif 000032
【図３２】
0005833471.tif 000033
【図３３】
0005833471.tif 000034
【図３４】
0005833471.tif 000035
【図３５】
0005833471.tif 000036
【図３７】
0005833471.tif 000037
【図３８】
0005833471.tif 000038
【図３９】
0005833471.tif 000039
【図４０】
0005833471.tif 000040
【図４１】
0005833471.tif 000041
【図４２】
0005833471.tif 000042
【図４３】
0005833471.tif 000043
【図４４】
0005833471.tif 000044
【図４５】
0005833471.tif 000045
【図４６】
0005833471.tif 000046
【図４７】
0005833471.tif 000047
【図３６】
0005833471.tif 000048